(57)【要約】  出荷パッケージ（１）は、中に内容物を受容するためのエンクロージャと、エンクロージャを封止するためのクロージャ（１４）と、出荷情報を備えるラベルと、ネットワークモジュール｛３８０｝と、センサモジュール（３８２）と、バッテリモジュール（３８４）と、を備える。バッテリモジュール（３８４）は、ネットワークモジュールおよびセンサモジュールに電力を提供する。センサモジュール（３８２）は、ネットワークモジュールに位置情報を提供し、ネットワークモジュール（３８０）は、外部デバイスに出荷ステータスメッセージを送信する。【選択図】図１Ａ
2021533052.tif 000002
【特許請求の範囲】
【請求項１】
出荷パッケージであって、
中に内容物を受容するためのエンクロージャと、
前記エンクロージャを封止するためのクロージャと、
出荷情報を備えるラベルと、
外部デバイスに出荷ステータスメッセージを送信するように構成されるかまたは構成可能なネットワークモジュールと、
前記ネットワークモジュールに位置情報を提供するように構成されるかまたは構成可能なセンサモジュールと、
前記ネットワークモジュールおよび前記センサモジュールに電力を提供するように構成されるかまたは構成可能なバッテリモジュールと、を備える、出荷パッケージ。
【請求項２】
前記センサモジュールが、グローバルポジショニングシステム（ＧＰＳ）を備え、前記出荷ステータスメッセージが、前記出荷パッケージの位置を含む、請求項１に記載の出荷パッケージ。
【請求項３】
前記センサモジュールが、光検出器を備え、前記出荷ステータスメッセージが、光が前記エンクロージャに進入したことを示すアラートを含む、請求項１に記載の出荷パッケージ。
【請求項４】
前記ネットワークモジュール、前記バッテリモジュール、および前記センサモジュールに結合されたメモリモジュールをさらに備え、前記センサモジュールが、光検出器を備え、前記出荷ステータスメッセージが、前記エンクロージャに進入する光が所定の閾値を超えたことを示すアラートを含む、請求項１に記載の出荷パッケージ。
【請求項５】
前記エンクロージャが、導電性要素を含み、前記センサモジュールが、輸送中に、前記導電性要素の一部分の破損を検出するように構成されるかまたは構成可能であり、前記出荷ステータスメッセージが、前記エンクロージャが損傷していることを示すアラートを含む、請求項１に記載の出荷パッケージ。
【請求項６】
前記クロージャが、第２の導電性要素を備え、前記センサモジュールが、輸送中に、前記第２の導電性要素の一部分を検出するように構成されるかまたは構成可能であり、前記出荷ステータスメッセージが、前記エンクロージャが損傷していることを示すアラートをさらに含む、請求項５に記載の出荷パッケージ。
【請求項７】
前記エンクロージャが、第１の導電性要素を備え、前記クロージャが、第２の導電性要素を備え、前記第１の導電性要素および前記第２の導電性要素が、前記クロージャが前記エンクロージャを封止するように配置されているときに、電気回路を形成し、前記センサモジュールが、輸送中の前記電気回路の一部分の破損を検出するように構成されるかまたは構成可能であり、前記出荷ステータスメッセージが、電気回路が損傷していることを示すアラートをさらに含む、請求項１に記載の出荷パッケージ。
【請求項８】
前記ラベルが、第３の導電性要素を備え、前記電気回路が、前記ラベルが前記出荷パッケージに固定されているときに、前記第３の導電性要素をさらに備える、請求項７に記載の出荷パッケージ。
【請求項９】
前記ネットワークモジュール、前記バッテリモジュール、および前記センサモジュールに結合されたメモリモジュールをさらに備え、前記メモリモジュールが、サービスレベルを用いて構成されるかまたは構成可能であり、前記センサモジュールが、前記サービスレベルが破損したときに検出するように構成されるかまたは構成可能であり、前記出荷ステータスメッセージが、前記サービスレベルが破損していることを示すアラートを含む、請求項１に記載の出荷パッケージ。
【請求項１０】
前記センサモジュールが、動作検出器を備え、前記サービスレベルが、前記出荷パッケージに関連付けられた最大動作を含む、請求項９に記載の出荷パッケージ。
【請求項１１】
前記ネットワークモジュール、前記バッテリモジュール、および前記センサモジュールに結合されたメモリモジュールをさらに備え、前記メモリモジュールが、出荷経路を用いて構成されるかまたは構成可能であり、前記センサモジュールが、ＧＰＳを備え、前記出荷パッケージの移動経路が前記出荷経路から逸脱したときに検出するように構成されるかまたは構成可能であり、前記出荷ステータスメッセージが、前記出荷パッケージが前記出荷経路に従っていないことを示すアラートを含む、請求項１に記載の出荷パッケージ。
【請求項１２】
前記出荷経路が、発送先を含み、前記移動経路の終点が前記発送先から変化するとき、前記出荷ステータスメッセージが、前記出荷パッケージが間違った発送先に配送されたことを示すアラートをさらに含む、請求項１１に記載の出荷パッケージ。
【請求項１３】
前記ラベルが、ユーザインターフェースを備え、前記ユーザインターフェースが、入力を受け入れるように構成されるかまたは構成可能であり、前記入力が、配送表示または支払いを含む、請求項１に記載の出荷パッケージ。
【請求項１４】
前記ユーザインターフェースが、人間のオブザーバに情報を提供するためのディスプレイをさらに備える、請求項１３に記載の出荷パッケージ。
【請求項１５】
前記ユーザインターフェースが、前記出荷パッケージの受取人を認証するように構成されるかまたは構成可能な生体センサをさらに備える、請求項１３に記載の出荷パッケージ。
【請求項１６】
前記バッテリモジュールが、最初に無効状態にあり、前記バッテリモジュールが、前記エンクロージャが前記クロージャで封止されたときに有効状態になるように構成されるかまたは構成可能であり、前記バッテリモジュールが、前記ネットワークモジュールおよび前記センサモジュールに電力を提供する、請求項１に記載の出荷パッケージ。
【請求項１７】
前記バッテリモジュールが、前記出荷パッケージがその発送先に到着したことが検出され、前記センサモジュールを介して開かれたことが検出されると、前記無効状態になるように構成されるかまたは構成可能である、請求項１６に記載の出荷パッケージ。
【請求項１８】
前記センサモジュールが、カメラモジュールを備え、前記カメラモジュールが、前記エンクロージャが開かれるときに作動されるように構成されるかまたは構成可能である、請求項１に記載の出荷パッケージ。
【請求項１９】
前記カメラモジュールが、静止カメラを備える、請求項１８に記載の出荷パッケージ。
【請求項２０】
前記カメラモジュールが、ビデオカメラを備える、請求項１８に記載の出荷パッケージ。
【請求項２１】
前記出荷ステータスメッセージが、前記出荷パッケージを開く人物の写真を含み、前記写真が、前記カメラモジュールによって取得される、請求項１８に記載の出荷パッケージ。
【請求項２２】
前記サービスレベルが、前記エンクロージャの配向に対する制限を含む、請求項９に記載の出荷パッケージ。
【請求項２３】
前記最大動作が、加速度を含む、請求項１０に記載の出荷パッケージ。
【請求項２４】
前記最大動作が、速度を含む、請求項１０に記載の出荷パッケージ。
【請求項２５】
前記ネットワークモジュール、前記バッテリモジュール、および前記センサモジュールに結合されたメモリモジュールをさらに備え、前記出荷ステータスメッセージが、前記メモリモジュールに記憶され、前記外部デバイスによって照会されたときに、前記ネットワークモジュールを介して送信される、請求項１に記載の出荷パッケージ。
【請求項２６】
前記ネットワークモジュール、前記バッテリモジュール、および前記センサモジュールに結合されたメモリモジュールをさらに備え、前記ネットワークモジュールが、第１の状態において、ネットワークから接続解除され、前記ネットワークモジュールが、第２の状態において、前記ネットワークに接続され、前記出荷ステータスメッセージが、前記第１の状態にある間に前記メモリモジュールに記憶され、前記出荷ステータスメッセージが、前記第２の状態にある間に送信される、請求項１に記載の出荷パッケージ。
【請求項２７】
前記ネットワークモジュールが、セルラ、ワイヤレスインターネットアクセス（Ｗｉ−Ｆｉ、登録商標）、Ｂｌｕｅｔｏｏｔｈ（登録商標）、近距離通信（ＮＦＣ）、無線周波数識別（ＲＦＩＤ）、および赤外線（ＩＲ）からなる群から選択されるネットワークプロトコルをサポートするように構成されるかまたは構成可能である、請求項１に記載の出荷パッケージ。
【請求項２８】
前記ネットワークモジュールが、メッシュ、アドホック、またはポイントツーポイントからなる群から選択されるネットワークトポロジをサポートするように構成されるかまたは構成可能である、請求項１に記載の出荷パッケージ。
【請求項２９】
前記出荷パッケージが、複数の他の出荷パッケージを格納するように構成されるかまたは構成可能なコンテナ内に格納または移送されるように構成されるかまたは構成可能であり、前記コンテナが、ネットワーク中継を備え、前記ネットワークモジュールが、前記ネットワーク中継を介して通信を中継する、請求項１に記載の出荷パッケージ。
【請求項３０】
前記出荷パッケージが、複数の他の出荷パッケージに近接しており、前記ネットワークモジュールが、前記複数の他の出荷パッケージとのアドホックネットワークを形成する、請求項１に記載の出荷パッケージ。
【請求項３１】
出荷パッケージを追跡する方法であって、中に内容物を受容するためのエンクロージャ、前記エンクロージャを封止するためのクロージャ、出荷情報を備えるラベル、ネットワークモジュール、センサモジュール、メモリモジュール、およびバッテリモジュールを備える出荷パッケージを提供するステップであって、前記バッテリモジュールは、前記ネットワークモジュール、前記メモリモジュール、および前記センサモジュールに電力を提供し、
前記メモリモジュール内にサービスレベルパラメータを受信するステップと、
前記センサモジュールによって、前記サービスレベルパラメータへの適合性を検出するステップと、
前記出荷パッケージが発送元と発送先との間を移動している間に、前記センサモジュールから取得されるセンサデータを監視するステップと、
前記ネットワークモジュールを介して外部デバイスに出荷ステータスメッセージを送信するステップであって、前記出荷ステータスメッセージは前記センサデータに部分的に基づくこと、を含む、方法。
【請求項３２】
前記センサモジュールが、ＧＰＳを備え、前記出荷ステータスメッセージが、前記出荷パッケージの位置を含む、請求項３１に記載の方法。
【請求項３３】
前記センサモジュールが、光検出器を備え、前記出荷ステータスメッセージが、光が前記エンクロージャに進入したことを示すアラートを含む、請求項３１に記載の方法。
【請求項３４】
前記センサモジュールの光検出器を介して前記出荷パッケージに進入する光を監視するステップと、
前記出荷パッケージに進入する前記光が所定の閾値を超えたことを示すアラートを含むように前記出荷ステータスメッセージを構成するステップと、をさらに含む、請求項３１に記載の方法。
【請求項３５】
前記センサモジュールによって、輸送中に前記エンクロージャに関連付けられた導電性要素の一部分の破損を検出するステップと、
前記エンクロージャが損傷していることを示すアラートを含むように前記出荷ステータスメッセージを構成するステップと、をさらに含む、請求項３１に記載の方法。
【請求項３６】
前記センサモジュールによって、輸送中に前記クロージャに関連付けられた第２の導電性要素の一部分の破損を検出するステップと、
前記クロージャが損傷していることを示すアラートを含むように前記出荷ステータスメッセージを構成するステップと、をさらに含む、請求項３５に記載の方法。
【請求項３７】
前記エンクロージャが、第１の導電性要素を備え、前記クロージャが、第２の導電性要素を備え、前記第１の導電性要素および前記第２の導電性要素が、前記クロージャが前記エンクロージャを封止するように配置されているときに、電気回路を形成し、前記方法が、
前記センサモジュールによって、輸送中に前記電気回路の一部分の破損を検出するステップと、
前記電気回路が損傷していることを示すアラートを含むように前記出荷ステータスメッセージを構成するステップと、をさらに含む、請求項３１に記載の方法。
【請求項３８】
前記ラベルが、第３の導電性要素を備え、前記電気回路が、前記ラベルが前記出荷パッケージに固定されているときに、前記第３の導電性要素をさらに備える、請求項３７に記載の方法。
【請求項３９】
前記出荷パッケージが、前記ネットワークモジュール、前記バッテリモジュール、および前記センサモジュールに結合されたメモリモジュールをさらに備え、前記メモリモジュールが、サービスレベルを用いて構成されるかまたは構成可能であり、前記方法が、
前記センサモジュールによって、前記サービスレベルが破損したときに検出するステップと、
前記サービスレベルが破損していることを示すアラートを含むように前記出荷ステータスメッセージを構成するステップと、をさらに含む、請求項３１に記載の方法。
【請求項４０】
前記センサモジュールが、動作検出器を備え、前記サービスレベルが、前記出荷パッケージに関連付けられた最大動作、配向、高度または空間ポジションを含む、請求項３９に記載の方法。
【請求項４１】
前記最大動作が、加速度、速度、配向、高度、姿勢および空間ポジションからなる群から選択される条件を含む、請求項４０に記載の方法。
【請求項４２】
前記センサモジュールを使用して、前記出荷パッケージの移動経路が、前記出荷パッケージのメモリモジュール内で構成されるかまたは構成可能な出荷経路から逸脱するときに検出するステップであって、前記メモリモジュールが、前記ネットワークモジュール、前記バッテリモジュール、および前記センサモジュールに結合される、ステップと、
前記出荷パッケージが前記出荷経路に従っていないことを示すアラートを含むように前記出荷ステータスメッセージを構成するステップと、をさらに含む、請求項３１に記載の方法。
【請求項４３】
前記移動経路の終点が前記出荷経路の発送先から変化するかどうかを判定するステップと、
前記出荷パッケージが間違った発送先に配送されたことを示すアラートを含むように前記出荷ステータスメッセージを構成するステップと、をさらに含む、請求項４２に記載の方法。
【請求項４４】
前記ラベルが、ユーザインターフェースを備え、前記ユーザインターフェースが、入力を受け入れるように構成されるかまたは構成可能であり、前記入力が、配送表示または支払いを含む、請求項３１に記載の方法。
【請求項４５】
前記ユーザインターフェースが、人間のオブザーバに情報を提供するためのディスプレイをさらに備える、請求項４４に記載の方法。
【請求項４６】
前記ユーザインターフェースの生体センサを使用して前記出荷パッケージの受取人を認証するステップをさらに含む、請求項４４に記載の方法。
【請求項４７】
前記生体センサが、顔認識のために構成されるかまたは構成可能なカメラ、音声認識のために構成されるかまたは構成可能なマイクロフォン、指紋リーダ、およびタッチパッドからなる群から選択される、請求項４６に記載の方法。
【請求項４８】
前記バッテリモジュールが、最初に無効状態にあり、前記バッテリモジュールが、前記エンクロージャが前記クロージャで封止されたときに有効状態になり、前記バッテリモジュールが、前記ネットワークモジュールおよび前記センサモジュールに電力を提供する、請求項３１に記載の方法。
【請求項４９】
前記出荷パッケージがその発送先に到着したことが検出され、開かれたことが検出されると、前記バッテリモジュールを前記無効状態に入れるステップをさらに含む、請求項４８に記載の方法。
【請求項５０】
前記エンクロージャが開かれたとき、前記センサモジュールのカメラモジュールを作動させるステップをさらに含む、請求項３１に記載の方法。
【請求項５１】
前記カメラモジュールが、静止カメラを備える、請求項５０に記載の方法。
【請求項５２】
前記カメラモジュールが、ビデオカメラを備える、請求項５０に記載の方法。
【請求項５３】
前記エンクロージャを開く人物の前記カメラモジュールによって撮影された写真またはビデオを含むように前記出荷ステータスメッセージを構成するステップをさらに含む、請求項５０に記載の方法。
【請求項５４】
前記サービスレベルが、前記エンクロージャの配向に対する制限を含む、請求項３１に記載の方法。
【請求項５５】
前記出荷パッケージが、前記ネットワークモジュール、前記バッテリモジュール、および前記センサモジュールに結合されたメモリモジュールをさらに備え、前記方法が、
前記メモリモジュールに前記出荷ステータスメッセージを記憶するステップと、前記外部デバイスによって照会されたときに前記出荷ステータスメッセージを送信するステップとをさらに含む、請求項３１に記載の方法。
【請求項５６】
前記出荷パッケージが、前記ネットワークモジュール、前記バッテリモジュール、および前記センサモジュールに結合されたメモリモジュールをさらに備え、前記方法が、
第１の状態において、前記ネットワークモジュールをネットワークから接続解除するステップと、
第２の状態において、前記ネットワークモジュールを前記ネットワークに接続するステップと、
前記第１の状態にある間に前記メモリモジュールに前記出荷ステータスメッセージを記憶するステップと、
前記第２の状態にある間に前記出荷ステータスメッセージを送信するステップと、をさらに含む、請求項３１に記載の方法。
【請求項５７】
前記ネットワークモジュールが、セルラ、ワイヤレスインターネットアクセス（Ｗｉ−Ｆｉ）、Ｂｌｕｅｔｏｏｔｈ、近距離通信（ＮＦＣ）、無線周波数識別（ＲＦＩＤ）、および赤外線（ＩＲ）からなる群から選択されるネットワークプロトコルをサポートする、請求項３１に記載の方法。
【請求項５８】
前記ネットワークモジュールが、メッシュ、アドホック、およびポイントツーポイントからなる群から選択されるネットワークトポロジをサポートする、請求項３１に記載の方法。
【請求項５９】
前記出荷パッケージが、複数の他の出荷パッケージを格納するように構成されるかまたは構成可能なコンテナ内に格納または移送され、前記コンテナが、ネットワーク中継を備え、前記方法が、前記ネットワークモジュールから前記ネットワーク中継を介して通信を中継するステップをさらに含む、請求項３１に記載の方法。
【請求項６０】
複数の他の出荷パッケージに近接して前記出荷パッケージとのアドホックネットワークを形成するステップをさらに含む、請求項３１に記載の方法。
【請求項６１】
別の出荷パッケージの別のセンサモジュールの別のノードとまたはセンサハブと通信するためのノードとして前記センサモジュールを構成するステップと、
前記ノードおよび前記別のノードまたはセンサハブとのワイヤレスセンサネットワークを作成するステップと、
前記ノードのうちの１つの間の通信が方向、強度が変化したかまたは前記ネットワークから接続解除されたことを示すアラートを含むように前記出荷ステータスメッセージを構成するステップと、をさらに含む、請求項３１に記載の方法。
【請求項６２】
前記出荷パッケージが、前記ネットワークモジュール、前記バッテリモジュール、および前記センサモジュールに結合されたメモリモジュールをさらに備え、前記メモリモジュールが、出荷経路を用いて構成され、前記センサモジュールが、前記出荷パッケージ内、前記出荷パッケージ外の条件ステータス、または前記出荷パッケージ内の内容物のステータスを測定するように構成された温度センサ、化学センサまたは環境センサを備える、請求項３１に記載の方法。
【請求項６３】
出荷パッケージシステムであって、
中に内容物を受容するためのエンクロージャと、
前記エンクロージャを封止するためのクロージャと、
出荷情報を備えるラベルと、
１つ以上の追加の出荷パッケージシステムの外部デバイスまたはネットワークモジュールに、または前記外部デバイスまたは前記ネットワークモジュールからデータを送信または受信するように構成されるかまたは構成可能なネットワークモジュールと、
前記ネットワークモジュールにセンサ情報を提供するように構成されるかまたは構成可能なセンサモジュールと、
前記ネットワークモジュールおよび前記センサモジュールに電力を提供するように構成されるかまたは構成可能なバッテリモジュールと、
前記ネットワークモジュール、前記バッテリモジュール、および前記センサモジュールに結合されたメモリモジュールと、を備える、出荷パッケージシステム。
【請求項６４】
前記ネットワークモジュールが、アドホックネットワーキングプラットフォームとして構成されるかまたは構成可能である、請求項６３に記載の出荷パッケージシステム。
【請求項６５】
前記ネットワークモジュールが、ブロックチェーンネットワーキングおよびピアツーピアのトポロジとして構成されるかまたは構成可能である、請求項６３に記載の出荷パッケージシステム。
【請求項６６】
前記ネットワークモジュールが、前記１つ以上の追加の出荷パッケージシステムの前記ネットワークモジュールと通信して、前記ネットワークモジュールのうちのどのネットワークモジュールが最も高い帯域幅を有するかを判定するように構成されるかまたは構成可能である、請求項６３に記載の出荷パッケージシステム。
【請求項６７】
デュプレックス指向性データおよびマルチメディアネットワーキング、電力最適化、動的デバイス構成、通信、ならびにデータ管理からなる群から選択される少なくとも１つのために構成されるかまたは構成可能なデータ管理システムをさらに備える、請求項６３に記載の出荷パッケージシステム。
【請求項６８】
前記データ管理システムが、前記ネットワークモジュールに、または前記ネットワークモジュールから前記センサ情報を送るかまたは受信する前に、前記センサ情報に優先順位を割り当てるように構成されるかまたは構成可能である、請求項６７に記載の出荷パッケージシステム。
【請求項６９】
前記データ管理システムが、前記センサ情報に１つ以上のランダム鍵暗号化コードを割り当てるように構成されるかまたは構成可能であり、前記ランダム鍵暗号化コードの各々が、前記ネットワークモジュールを介して外部ディレクトリ上で共有される公開鍵と、前記センサ情報に対して署名、暗号化および復号するために前記出荷パッケージシステム上に記憶された秘密鍵とを含む、請求項６７に記載の出荷パッケージシステム。
【発明の詳細な説明】
【技術分野】
【０００１】
関連出願の相互参照
本出願は、米国特許法第１１９条（ｅ）に基づいて、２０１８年８月８日に出願された同時係属の米国仮特許出願第６２／７１６，２７９号に基づく優先権の利益を主張する。先行仮出願の全体の開示は、参照により本明細書に組み込まれる。
【０００２】
本技術は、パッケージの追跡および／または監視に関し、具体的には、洗練された応答性の高い追跡技術を可能にするためのスマート追跡デバイスまたはパッケージならびにパッケージの操作、ネットワーキング、通信、出荷、物流、およびトランザクションプラットフォームの使用に関する。
【背景技術】
【０００３】
従来のパッケージ追跡は、当技術分野において周知であり、パッケージの位置を判定するために郵便サービス、宅配業者、ならびに他の出荷および配送サービスによって使用されている。パッケージ、手紙、またはボックスは、差出人がそれを配送サービスに最初に与えたときに追跡番号またはコードが割り当てられる。典型的には、バーコードがパッケージに固定され、光学リーダでスキャンされることがある。あるいは、磁気ストリップ、無線周波数識別（ＲＦＩＤ）または近距離通信（ＮＦＣ）タグなどの他の技術が使用されることがある。
【０００４】
パッケージの発送先までの道のりの重要なポイントでは、パッケージはスキャンされ、バーコードによってパッケージの位置および進捗状況は誰でも利用可能になる。
【０００５】
パッケージが受取人に配送されると、最後に１回スキャンされ、受取人が署名を提供する必要がある場合がある。
【０００６】
現在使用されている技術にはいくつかの欠点がある。１つは、パッケージが道のりの所定のポイントにおいてのみスキャンされることである。もう１つは、パッケージが配送済みとマークされると、もはや追跡されなくなることである。間違った位置に配送されたか、または間違った人が署名した場合、パッケージは紛失されやすくなる。さらに、パッケージが経路上で開かれるまたは改ざんされた場合、これは、スキャンプロセスによって検出されない。
【０００７】
出荷コンテナなどの大きい品目は、ネットワーキングされ、ドア開口部などの改ざんの検出を提供するアクティブ追跡モジュールを含み得る。しかしながら、これらの解決策はかさばるため、小さいパッケージでは実行不可能である。
【０００８】
３０年以上にわたり、出荷業界の標準的な追跡システムは、パッケージを識別および処理するためのバーコードスキャン技術の利用であった。これは、パッケージ識別、差出人、受取人および他のパッケージ情報を検証し、かつ宅配業者、移送車両、位置、推定到着時間ならびに他の出荷および物流情報を検証するために、単一の道のり中に各パッケージを複数回スキャンする必要があり、主要なパッケージ出荷および配送会社ではパッケージスキャンおよび処理に週に数百万時間が追加され、人的資源と時間の両方において非常にコストがかかる。現在のバーコードスキャンおよび物流システムはまた、各パッケージのために利用可能なリアルタイムパッケージデータおよびネットワーキング能力の量に限界がある。既存のパッケージ監視サービスは、主に、パッケージが移送されている車両が位置特定およびネットワーキング能力を有するかどうかに依存する。
【０００９】
パッケージ盗難がますます問題となっているため、現在、差出または受取の当事者または出荷会社が、パッケージを受領する各人物が正規の宅配業者もしくは受取当事者であるかどうかを検証するか、またはパッケージが配達された後に誰がそれを開けているかを識別する方法はない。パッケージ盗難に加えて、インターネット小売、ｅコマース、終夜出荷、および同日配送の継続的な増加に伴い、パッケージ誤配置およびパッケージ返品も大幅に増加しており、現在、パッケージがいったん経路上に乗ると、パッケージを差出人に戻す以外に、それを自動的に再経路指定する方法はない。本技術は、部分的に、スケジュールされたもしくはスケジュールされていない間隔でおよび／またはリアルタイムで、他のパッケージ、ローカルおよびリモートネットワーキングされたデバイス、車両、システム、ネットワーク、インターネットおよび／または他のクラウドプラットフォームと共に、かつ割り当てられた宅配業者、差出人、受取人、出荷および／または配送会社、ならびに他の許可された当事者と共に、パッケージ、コンテナまたは車両の内部の製品、デバイス、人々、ペット、食品または他の腐敗しやすい品目、物体または他の材料に取り付けられるか、封入されるか、埋め込まれるか、または別様に割り当てられている、ネットワーキングされたデバイスまたはシステムなど、動的パッケージ出荷および物流情報、位置および他のパッケージセンサデータならびに／またはパッケージ内容物からのデータを受信および表示ならびに／またはネットワーキングすることができる、取り付けられた、封入された、埋め込まれた、または別様に割り当てられたオンボードコンピューティングおよびネットワーキング機能を、各パッケージが有する、ピアツーピア分散パッケージ操作、ネットワーキング、およびインテリジェンスシステムに対する必要性に対処している。
【００１０】
無線周波数識別（ＲＦＩＤ）タグおよび近距離通信（ＮＦＣ）などの既存のワイヤレスパッケージ識別システムは、送信され得るデータ量、ならびにＲＦＩＤまたはＮＦＣ信号を受信するために必要な信号強度および近接度が制限され、両方とも、リアルタイムデータ、自己追跡および自己報告ならびにピアツーピアのネットワーキング能力において顕著な制限を有する。
【００１１】
パッケージ位置を継続的に監視するためにパッケージの内部に置かれ得る、動作、衝撃、温度および他のセンサ、ならびにセルラまたはＬＡＮネットワークを介したワイヤレスデータアップローディングをも含み得る、ＧＰＳ追跡デバイスなどの既存のパッケージ追跡およびネットワーキングシステムは、現在、単一のパッケージを追跡するように設計されており、ピアツーピアワイヤレスパッケージネットワーキング、識別および検証能力は制限されているかまたはそれらはなく、ならびに外部パッケージ監視、オーディオビデオおよびデータストリーミング、双方向またはマルチチャネル通信は制限されているかまたはそれらはなく、またそれらは、様々なオンボード処理およびネットワーキング能力を有する多数のパッケージ追跡、監視および通信デバイス、ネットワークおよびパッケージ配送車両にわたって、パッケージ対パッケージ識別、協調、パッケージ内容物およびセンサ監視およびアラート、リアルタイムビデオストリーミング、差出人、受取人および宅配業者検証、データ処理、ストレージ、ネットワーキング、トランザクション、および通信ならびにリモートデバイスインターフェーシングおよび制御のための、ユビキタスな分散パッケージ操作およびインテリジェンスシステム、データネットワーキングおよびセキュリティソリューションを提供しない。
【００１２】
上記のデバイスはそれぞれの特定の目的および要件を満たすが、前述の特許は、状態検出および通知を使用してデバイスまたはパッケージを追跡または監視することを可能にする通信ネットワークのための正確な統計計算を説明していない。小さいパッケージおよび手紙の出荷のセキュリティおよび信頼性を改善するための、経済的でアクティブな追跡および改ざん検出ソリューションの必要性が存在する。
【発明の概要】
【発明が解決しようとする課題】
【００１３】
先行技術に現存する既知の種類のパッケージ追跡システムに内在する前述の欠点を考慮して、本技術は、新規の出荷パッケージ追跡または監視システムおよび方法を提供し、先行技術に言及された不利益および欠点のうちの１つ以上を克服する。したがって、後により詳細に説明される本技術の一般的な目的は、前述の先行技術のすべての利点を有する新しい新規の出荷パッケージ追跡または監視システムおよび方法、ならびに、単独でまたはそれらの任意の組み合わせで先行技術によって予想されていない、明らかにされていない、示唆されていない、またはさらには暗示されていない出荷パッケージ追跡または監視システムおよび方法をもたらす多くの新規の特徴を提供することである。
【課題を解決するための手段】
【００１４】
本技術の一態様によれば、本技術は、内容物を受容するためのエンクロージャと、エンクロージャを封止するためのクロージャと、ネットワークモジュールと、センサモジュールと、バッテリモジュールと、を備える、出荷パッケージを含むことができる。バッテリモジュールは、ネットワークモジュールおよびセンサモジュールに電力を提供する。センサモジュールは、ネットワークモジュールに位置情報を提供する。ネットワークモジュールは、外部デバイスに出荷ステータスメッセージを送信する。出荷情報を備えるラベルは、出荷パッケージと共に含めることが可能である。
【００１５】
本技術の別の態様によれば、出荷パッケージを追跡する方法は、中に内容物を受容するためのエンクロージャと、エンクロージャを封止するためのクロージャと、ネットワークモジュールと、センサモジュールと、メモリモジュールと、バッテリモジュールと、を含むことができる。バッテリモジュールは、ネットワークモジュール、メモリモジュール、およびセンサモジュールに電力を提供する。本方法は、メモリモジュール内にサービスレベルパラメータを受信するステップを含むことができ、サービスレベルパラメータへの適合性は、センサモジュールによって検出可能である。出荷パッケージが発送元と発送先との間を移動している間に、センサモジュールから取得されたセンサデータを監視する。ネットワークモジュールを介して外部デバイスに出荷ステータスメッセージを送信し、出荷ステータスメッセージは、センサデータに基づく。出荷情報を備えるラベルは、出荷パッケージと共に含めることが可能である。
【００１６】
本技術のさらに別の態様によれば、本技術は、以下の部品を備えるキットを含むことができる：エンクロージャ、ネットワークモジュール、センサモジュール、およびバッテリモジュール。キットは、エンクロージャに取り付け可能であるアフターマーケットキットとして、エンクロージャなしで提供され得ることが理解され得る。さらに、ネットワークモジュール、センサモジュール、およびバッテリモジュールは、単一の電子機器およびセンサユニットに組み込まれるか、または個々の接続可能モジュールであることが理解され得る。キットは、（好ましい方法で本技術を使用、維持などすることができるように）機能的関係が本技術の構造に関連して詳述されるような指示書を含むことができる。出荷情報を備えるラベルは、出荷パッケージと共に含めることが可能である。
【００１７】
本技術のさらに別の態様によれば、本技術は、中に内容物を受容するためのエンクロージャと、エンクロージャを封止するためのクロージャとを含む出荷パッケージシステムを含むことができる。ラベルは、出荷情報を含むことができる。ネットワークモジュールは、１つ以上の追加の出荷パッケージシステムの外部デバイスまたはネットワークモジュールに、または外部デバイスまたはネットワークモジュールからデータを送信または受信するように構成されるかまたは構成可能であり得る。センサモジュールは、ネットワークモジュールにセンサ情報を提供するように構成されるかまたは構成可能であり得る。バッテリモジュールは、ネットワークモジュールおよびセンサモジュールに電力を提供するように構成されるかまたは構成可能であり得る。メモリモジュールは、ネットワークモジュール、バッテリモジュール、およびセンサモジュールに結合され得る。
【００１８】
本技術のさらに別の態様によれば、本技術は、中に内容物を受容するためのエンクロージャと、エンクロージャを封止するためのクロージャとを含む出荷パッケージシステムを含むことができる。クリップは、クロージャフラップまたはエンクロージャの側壁に取り付けるかまたは一体化することができる。クリップは、１つ以上の追加の出荷パッケージシステムの外部デバイスまたはネットワークモジュールに、または外部デバイスまたはネットワークモジュールからデータを送信または受信するように構成されるかまたは構成可能なネットワークモジュールを含むことができる。クリップは、ネットワークモジュールにセンサ情報を提供するように構成されるかまたは構成可能なセンサモジュールを含むことができる。クリップは、ネットワークモジュールおよびセンサモジュールに電力を提供するように構成されるかまたは構成可能なバッテリモジュールを含むことができる。
【００１９】
さらに他の態様では、出荷パッケージまたはスマートボックスに関連して本明細書に開示される本技術のいずれかは、出荷パッケージまたはスマートボックスではなく、出荷コンテナにおいて具現化することができる。
【００２０】
さらに他の態様では、スマートボックスまたは他の出荷パッケージは、出荷コンテナと通信するように構成される。いくつかの実施形態では、出荷コンテナは、ワイヤレスまたはセルラネットワークと通信し、それによって、出荷コンテナに含まれるスマートボックスまたは出荷パッケージ間の通信をワイヤレスまたはセルラネットワークに中継するように追加的に構成される。
【００２１】
当然ながら、以下に記載され、添付の特許請求の範囲の主題を形成する本技術の追加の特徴が存在する。
【図面の簡単な説明】
【００２２】
【図１Ａ】図１Ａは、インターフェーシング層が露出し、本技術の原理に従って構築された、開ポジションにあるクロージャフラップに取り付けられた埋め込みマイクロ出荷パッケージコンピューティングハブを有するパッケージの一実施形態の斜視図である。
【図１Ｂ】図１Ｂは、閉ポジションにあるクロージャフラップに取り付けられた埋め込みマイクロ出荷パッケージコンピューティングハブを有するパッケージの斜視図である。
【図２Ａ】図２Ａは、インターフェーシング層が露出し、本技術の原理に従って構築された、開ポジションにあるクロージャフラップに取り付けられた高度な埋め込み出荷パッケージコンピューティングハブを有するパッケージの実施形態の斜視図である。
【図２Ｂ】図２Ｂは、閉ポジションにあるクロージャフラップに取り付けられた高度な埋め込み出荷パッケージコンピューティングハブを有するパッケージの斜視図である。
【図３Ａ】図３Ａは、クロージャフラップから取り外された埋め込みマイクロ出荷パッケージコンピューティングハブを有するパッケージの斜視図である。
【図３Ｂ】図３Ｂは、クロージャフラップから取り外された高度な埋め込み出荷パッケージコンピューティングハブを有するパッケージの斜視図である。
【図４Ａ】図４Ａは、閉ポジションにあるクロージャフラップと共に埋め込まれたスマートラベルおよび接触センサモジュール対を含むパッケージの斜視図である。
【図４Ｂ】図４Ｂは、分解されたスマートラベルおよび接触センサモジュール対を有するパッケージの斜視図である。
【図５Ａ】図５Ａは、本技術のパッケージを有する、メッシュセンサ、導電性回路センサ、および光ファイバセンサを含む埋め込まれたセンサモジュールの斜視図である。
【図５Ｂ】図５Ｂは、本技術のパッケージを有する、メッシュセンサ、導電性回路センサ、および光ファイバセンサを含む埋め込まれたセンサモジュールの斜視図である。
【図５Ｃ】図５Ｃは、本技術のパッケージを有する、メッシュセンサ、導電性回路センサ、および光ファイバセンサを含む埋め込まれたセンサモジュールの斜視図である。
【図６Ａ】図６Ａは、パッケージのクロージャフラップと共に含まれる、取り付け可能なワイヤレス接触センサモジュール対を有するパッケージの斜視図である。
【図６Ｂ】図６Ｂは、中で受信可能なパッケージ化された埋め込まれたセンサを有するパッケージの斜視図である。
【図６Ｃ】図６Ｃは、壁センサおよび／またはコーナーセンサを含むか、あるいは本技術のパッケージの内部または包装紙に関連付けられた内部パッケージセンサハブの斜視図である。
【図７Ａ】図７Ａは、取り付け可能なスマートタイセンサハブを含むバッグの形態の本技術のパッケージの斜視図である。
【図７Ｂ】図７Ｂは、埋め込まれたスマートタイセンサハブを含むスマートバッグの形態の本技術のパッケージの斜視図である。
【図８Ａ】図８Ａは、本技術の埋め込まれたセンサネットワークを含むスマートテープの斜視図である。
【図８Ｂ】図８Ｂは、本技術のパッケージの内部および／または外部を有するセンサネットワークの斜視図である。
【図９】図９は、本技術の埋め込まれたセンサおよびネットワーキングを含む、プリンタフレンドリーである１回使用の取り付け可能なスマートラベルと共に含まれる層の分解斜視図である。
【図１０】図１０は、本技術のタッチスクリーンおよびバイオメトリクスシステムを有する複数回使用の取り付け可能なスマートラベルと共に含まれる層の分解斜視図である。
【図１１Ａ】図１１Ａは、本技術のスマートテープ、１回使用の取り付け可能なスマートラベル、タッチパッド／ボタンアレイを有し、スマートテープに関連付けられた複数回使用の取り付け可能なスマートラベル、ならびにタッチスクリーンおよびバイオメトリクスシステムを有する複数回使用の取り付け可能なスマートラベルを含むパッケージの斜視図である。
【図１１Ｂ】図１１Ｂは、本技術のスマートテープ、１回使用の取り付け可能なスマートラベル、タッチパッド／ボタンアレイを有し、スマートテープに関連付けられた複数回使用の取り付け可能なスマートラベル、ならびにタッチスクリーンおよびバイオメトリクスシステムを有する複数回使用の取り付け可能なスマートラベルを含むパッケージの斜視図である。
【図１１Ｃ】図１１Ｃは、本技術のスマートテープ、１回使用の取り付け可能なスマートラベル、タッチパッド／ボタンアレイを有し、スマートテープに関連付けられた複数回使用の取り付け可能なスマートラベル、ならびにタッチスクリーンおよびバイオメトリクスシステムを有する複数回使用の取り付け可能なスマートラベルを含むパッケージの斜視図である。
【図１１Ｄ】図１１Ｄは、本技術のスマートテープ、１回使用の取り付け可能なスマートラベル、タッチパッド／ボタンアレイを有し、スマートテープに関連付けられた複数回使用の取り付け可能なスマートラベル、ならびにタッチスクリーンおよびバイオメトリクスシステムを有する複数回使用の取り付け可能なスマートラベルを含むパッケージの斜視図である。
【図１１Ｅ】図１１Ｅは、本技術のスマートテープ、１回使用の取り付け可能なスマートラベル、タッチパッド／ボタンアレイを有し、スマートテープに関連付けられた複数回使用の取り付け可能なスマートラベル、ならびにタッチスクリーンおよびバイオメトリクスシステムを有する複数回使用の取り付け可能なスマートラベルを含むパッケージの斜視図である。
【図１１Ｆ】図１１Ｆは、本技術のスマートテープ、１回使用の取り付け可能なスマートラベル、タッチパッド／ボタンアレイを有し、スマートテープに関連付けられた複数回使用の取り付け可能なスマートラベル、ならびにタッチスクリーンおよびバイオメトリクスシステムを有する複数回使用の取り付け可能なスマートラベルを含むパッケージの斜視図である。
【図１２Ａ】図１２Ａは、本技術の１回使用の取り付け可能なスマートラベルの正面図である。
【図１２Ｂ】図１２Ｂは、本技術のより低電力のディスプレイを有する複数回使用の取り付け可能なスマートラベルの正面図である。
【図１２Ｃ】図１２Ｃは、本技術のタッチパッド／ボタンアレイを有する複数回使用の取り付け可能なスマートラベルの正面図である。
【図１２Ｄ】図１２Ｄは、本技術のタッチスクリーンおよびバイオメトリクスシステムを有する複数回使用の取り付け可能なスマートラベルの正面図である。
【図１３】図１３は、本技術の特徴を利用した、人物によって運搬および／視認されるパッケージの斜視図である。
【図１４】図１４は、本技術のバイオメトリクスおよび／またはセキュリティ特徴を利用した、人物によって運搬および／または視認されるパッケージの斜視図である。
【図１５Ａ】図１５Ａは、腐敗しやすい品目を有し、本技術のセンサを利用している開いたパッケージの斜視図である。
【図１５Ｂ】図１５Ｂは、品目を受容し、本技術のセンサを利用している開いたパッケージの斜視図である。
【図１６Ａ】図１６Ａは、本技術の外部および内部監視モジュールを有するスマートペットキャリアコンピューティングハブを利用した、ゲートが開および閉ポジションにある動物クレートの形態のパッケージの斜視図である。
【図１６Ｂ】図１６Ｂは、本技術の外部および内部監視モジュールを有するスマートペットキャリアコンピューティングハブを利用した、ゲートが開および閉ポジションにある動物クレートの形態のパッケージの斜視図である。
【図１７Ａ】図１７Ａは、本技術の埋め込まれたまたは取り付け可能なスマートペットキャリアコンピューティングハブを利用した動物クレートパッケージと通信するネットワークと共に利用され得る例示的な電子コンピューティングデバイスを示す。
【図１７Ｂ】図１７Ｂは、本技術の埋め込まれたまたは取り付け可能なスマートペットキャリアコンピューティングハブを利用した動物クレートパッケージと通信するネットワークと共に利用され得る例示的な電子コンピューティングデバイスを示す。
【図１８Ａ】図１８Ａは、本技術のパッケージと通信する際に利用され得るユーザの例示的な電子コンピューティングデバイスを示す。
【図１８Ｂ】図１８Ｂは、本技術のパッケージと通信するセルラネットワークと共に利用され得るユーザの例示的な電子コンピューティングデバイスを示す。
【図１９Ａ】図１９Ａは、互いに通信するかまたはネットワークを利用する本技術の複数のパッケージの斜視図である。
【図１９Ｂ】図１９Ｂは、互いに通信するかまたはネットワークを利用する本技術の複数のパッケージの斜視図である。
【図２０Ａ】図２０Ａは、本技術のパッケージと通信する際に利用され得る例示的な電子コンピューティングデバイスを示す。
【図２０Ｂ】図２０Ｂは、本技術のパッケージと通信するネットワークと共に利用され得る例示的な電子コンピューティングデバイスを示す。
【図２１】図２１は、本技術の電子機器およびセンサユニットのブロック図である。
【図２２Ａ】図２２Ａは、クリップの形態の埋め込まれたマイクロ出荷パッケージコンピューティングハブの斜視図である。
【図２２Ｂ】図２２Ｂは、クリップの形態の埋め込まれたマイクロ出荷パッケージコンピューティングハブの斜視図である。
【図２３Ａ】図２３Ａは、開ポジションにあるパッケージのクロージャフラップに取り付けられたクリップの斜視図である。
【図２３Ｂ】図２３Ｂは、閉ポジションにあるパッケージのクロージャフラップに取り付けられたクリップの斜視図である。
【図２４】図２４は、スマートパッケージングテープを含むパッケージの閉ポジションにあるクロージャフラップに取り付けられたクリップの斜視図である。
【図２５Ａ】図２５Ａは、スクリューコネクタおよびスクリューコネクタポートを利用した開構成にあるクリップの斜視図である。
【図２５Ｂ】図２５Ｂは、締め付け／解放モジュールを利用した閉構成にあるクリップの斜視図である。
【図２６Ａ】図２６Ａは、ノッチ付き磁気ピンコネクタおよびノッチ付き磁気ピンコネクタポートを利用した開構成にあるクリップの斜視図である。
【図２６Ｂ】図２６Ｂは、ボルト穴ピンコネクタおよびボルト穴ピンコネクタポートを利用した開構成にあるクリップの斜視図である。
【図２７Ａ】図２７Ａは、ノッチ付き磁気ピンコネクタおよびノッチ付き磁気ピンコネクタポートを利用した開構成にある代替クリップの斜視図である。
【図２７Ｂ】図２７Ｂは、ボルト穴ピンコネクタおよびボルト穴ピンコネクタポートを利用した開構成にある代替クリップの斜視図である。
【図２８Ａ】図２８Ａは、閉ポジションにあるパッケージのクロージャフラップに取り付けられたクリップおよびロック機構の斜視図である。
【図２８Ｂ】図２８Ｂは、スマートパッケージングテープを含む閉ポジションにあるパッケージのクロージャフラップに取り付けられたロック機構のクリップの斜視図である。
【発明を実施するための形態】
【００２３】
本技術は、その以下の詳細な説明を考慮するとより良く理解され、上記に記載されたもの以外の目的が明らかになるであろう。そのような説明は、添付の図面を参照する。
【００２４】
同じ参照番号は、様々な図面全体を通して同じ部分を指す。
【００２５】
上記のデバイスはそれぞれの特定の目的および要件を満たすが、前述のデバイスまたはシステムは、状態検出および通知を使用してデバイスまたはパッケージを追跡することを可能にする通信ネットワークのための正確な統計計算を説明していない。本技術は、さらに、先行技術に関連する欠点のうちの１つ以上を克服する。
【００２６】
状態検出および通知を使用してデバイスまたはパッケージを追跡するために使用することができる通信ネットワークのための新しい新規の正確な統計計算の必要性が存在する。これに関して、本技術は、この必要性を実質的に満たす。この点において、本技術による出荷パッケージ追跡または監視システムおよび方法は、先行技術の従来の概念および設計から実質的に逸脱し、そのように行う際に、状態検出および通知を使用してデバイスまたはパッケージを追跡する目的で主に開発された装置を提供する。
【００２７】
以下の説明では、本技術の完全な理解を提供するために、限定ではなく説明の目的で、特定の実施形態、手順、技術などの特定の詳細が記載されている。しかしながら、本技術は、これらの特定の詳細から逸脱する他の実施形態において実施され得ることが、当業者には明らかであろう。
【００２８】
本技術の実施形態は、大小の手紙およびパッケージのためのアクティブでスマートなパッケージングを提供し、これは、パッケージのポジション、環境ステータス、およびセキュリティステータスのリアルタイム追跡を提供する。これらのスマートパッケージは、ワイヤレスネットワークを介して接続されてパッケージのポジション更新およびステータスを送信または受信する、パッケージング、封止、またはラベルに組み込まれたアクティブ電子機器を含む。
【００２９】
環境ステータスは、温度、湿度、経験される最大加速度、パッケージの配向、および輸送中または保管中にパッケージとその内容物に影響を与える可能性のある他の要因を含むいくつかの基準のいずれかを含むことができる。これらの要因を使用して、輸送中にパッケージが経験した条件を追跡し、輸送中にパッケージがどのように扱われるかを定義する出荷契約条項を検証および施行することができる。環境要因を使用して、要因が正常範囲外である場合にアラームを作動させることもできる。範囲外の環境示度を使用して、火災、水漏れなどを検出することができる。
【００３０】
セキュリティステータスは、経路上で開かれたパッケージ、間違った住所または間違った人物に配送されたパッケージ、開かれかつおそらく再封止されたパッケージ、および他のイベントなどのイベントを検出することを含む。セキュリティステータスは、予想とは異なる経路をパッケージが取ったときを判定することを含むこともできる。
【００３１】
本技術の実施形態を組み込むスマートパッケージは、パッケージがワイヤレスネットワークに接続することを可能にする電子回路、センサ、モジュール、およびネットワークインターフェースを備える。電子的構成要素は、ＣＰＵまたはマイクロコントローラ、揮発性および不揮発性メモリ、インターフェースおよびネットワーキングハードウェア、ならびにセンサを含む。センサは、温度センサ、湿度センサ、光センサ、画像センサ、加速度計、ジャイロスコープ、コンパス、高度計などの空間、動作、加速度、配向およびリレーショナルポジションセンサ、およびグローバルポジショニングシステム（ＧＰＳ）、衛星、セルラ、ワイヤレスインターネットアクセス（Ｗｉ−Ｆｉ、登録商標）、Ｂｌｕｅｔｏｏｔｈ（登録商標）、ＮＦＣ、ＲＦＩＤ、赤外線（ＩＲ）などのワイヤレスおよび位置特定センサおよびシステム、ならびに／あるいは他のワイヤレス、光または光ファイバネットワーキングセンサおよびシステム、フライト送信機およびセンサ、光学センサおよび撮像センサ、加速度計、ジャイロスコープ、高度センサ、ならびに他の運き、配向および位置決めセンサ、空気圧、ガス、化学的または生物学的汚染物質センサなどを含み得る。いくつかの場合には、スマートパッケージは、それ自体に近接している外部のネットワーキングされたセンサからのセンサデータにアクセスし、読み取り得る。一例は、トラック内のスマートパッケージであり、ここで、スマートパッケージは、トラック自体の温度計からＢｌｕｅｔｏｏｔｈ（登録商標）またはＷｉ−Ｆｉ（登録商標）ワイヤレスネットワークを介して温度を取得する。別の例は、食品または医療パッケージ内のカビまたは細菌の成長が検出され、それに応じてシステムを介してアラートが送られる場合であり得る。
【００３２】
本開示の前述および追加の態様および実施形態は、図面を参照しながら行われる様々な実施形態および／または態様の詳細な説明を考慮して当業者に明らかになり、その簡単な説明を次に提供する。
【００３３】
いくつかの実施形態では、センサモジュールは、ＧＰＳを備えることができ、出荷ステータスメッセージは、出荷パッケージの位置を含むことができる。他の実施形態では、センサモジュールは、光検出器を備えることができ、出荷ステータスメッセージは、光がパッケージに進入したことを示すアラートを含むことができる。
【００３４】
さらなる実施形態では、出荷パッケージは、ネットワークモジュール、バッテリモジュール、およびセンサモジュールに結合されたメモリモジュールを備えることができる。センサモジュールは、光検出器を備えることができ、出荷ステータスメッセージは、パッケージに進入する光が所定の閾値を超えたことを示すアラートを含むことができる。
【００３５】
他の実施形態では、エンクロージャは、導電性要素を備えることができる。輸送中の導電性要素の一部分の破損は、センサモジュールによって検出することができる。出荷ステータスメッセージは、エンクロージャが損傷していることを示すアラートを含むことができる。
【００３６】
さらなる実施形態では、クロージャは、第２の導電性要素を備えることができる。輸送中の第２の導電性要素の一部分の破損は、センサモジュールによって検出することができる。出荷ステータスメッセージは、第２のエンクロージャが損傷していることを示すアラートをさらに含むことができる。
【００３７】
他の実施形態では、エンクロージャは、第１の導電性要素を備えることができ、クロージャは、第２の導電性要素を備える。第１の導電性要素および第２の導電性要素は、クロージャがパッケージを封止するように配置されているときに、電気回路を形成することができる。輸送中の電気回路の一部分の破損は、センサモジュールによって検出することができる。出荷ステータスメッセージは、電気回路が損傷していることを示すアラートをさらに含むことができる。
【００３８】
さらなる実施形態では、ラベルは、第３の導電性要素を備えることができ、電気回路は、ラベルが出荷パッケージに固定されているときに、第３の導電性要素をさらに備える。
【００３９】
さらなる実施形態は、ネットワークモジュール、バッテリモジュール、およびセンサモジュールに結合されたメモリモジュールを備えることができる。メモリモジュールは、サービスレベルを用いて構成することができる。センサモジュールは、サービスレベルが破損したときに検出することができる。出荷ステータスメッセージは、サービスレベルが破損していることを示すアラートを含むことができる。
【００４０】
いくつかの実施形態では、センサモジュールは、動作検出器を備えることができ、サービスレベルは、出荷パッケージが経験し得る最大動作を含むことができる。
【００４１】
さらなる実施形態は、ネットワークモジュール、バッテリモジュール、およびセンサモジュールに結合されたメモリモジュールを備えることができる。メモリモジュールは、出荷経路を用いて構成される。センサモジュールは、ＧＰＳを備え、出荷パッケージの移動経路が出荷経路から逸脱したときに検出する。出荷ステータスメッセージは、出荷パッケージが出荷経路に従っていないことを示すアラートを含む。
【００４２】
他の実施形態では、出荷経路は、発送先を含むことができる。移動経路の終点が発送先から変化するとき、出荷ステータスメッセージは、出荷パッケージが間違った発送先に配送されたことを示すアラートをさらに含むことができる。
【００４３】
さらなる実施形態では、ラベルは、ユーザインターフェースを備えることができる。ユーザインターフェースは、配送表示または支払いを含む入力を受け入れるように構成されるかまたは構成可能である。他の実施形態では、ユーザインターフェースは、人間のオブザーバに情報を提供するためのディスプレイをさらに備えることができる。他の実施形態では、ユーザインターフェースは、出荷パッケージの受取人を認証するための生体センサをさらに備えることができる。
【００４４】
いくつかの実施形態では、バッテリモジュールは、最初に無効状態にあり得る。バッテリモジュールは、エンクロージャがクロージャで封止されたときに有効状態になることができ、バッテリモジュールは、ネットワークモジュールおよびセンサモジュールに電力を提供することができる。他の実施形態では、バッテリモジュールは、出荷パッケージがその発送先に到着したことが検出され、開かれたことが検出されると、無効状態になることができる。
【００４５】
さらなる実施形態では、センサモジュールは、カメラモジュールを備えることができ、カメラモジュールは、エンクロージャが開かれるときに作動され得る。いくつかの実施形態では、カメラモジュールは、静止カメラを備えることができる。他の実施形態では、カメラモジュールは、ビデオカメラを備えることができる。
【００４６】
いくつかの実施形態では、出荷ステータスメッセージは、パッケージを開く人物の写真を含むことができる。
【００４７】
いくつかの実施形態では、サービスレベルは、エンクロージャの配向に対する制限を含むことができる。
【００４８】
いくつかの実施形態では、最大動作は、加速度を含むことができる。他の実施形態では、最大動作は、速度を含むことができる。さらに他の実施形態では、最大動作は、加速度、速度、配向、高度、姿勢および空間ポジションからなる群から選択される条件を含むことができる。
【００４９】
さらなる実施形態は、ネットワークモジュール、バッテリモジュール、およびセンサモジュールに結合されたメモリモジュールを備えることができる。出荷ステータスメッセージは、メモリモジュールに記憶され、外部デバイスによって照会されたときに送信され得る。
【００５０】
さらなる実施形態は、ネットワークモジュール、バッテリモジュール、およびセンサモジュールに結合されたメモリモジュールを備えることができる。ネットワークモジュールは、第１の状態において、ネットワークから接続解除することができる。ネットワークモジュールは、第２の状態において、ネットワークに接続することができる。出荷ステータスメッセージは、第１の状態にある間にメモリモジュールに記憶され得る。出荷ステータスメッセージは、第２の状態の間に送信され得る。
【００５１】
いくつかの実施形態では、ネットワークモジュールは、セルラ、Ｗｉ−Ｆｉ（登録商標）、Ｂｌｕｅｔｏｏｔｈ（登録商標）、ＮＦＣ、ＲＦＩＤ、ＩＲ放射などからなる群から選択されるネットワークプロトコルをサポートすることができる。他の実施形態では、ネットワークモジュールは、メッシュ、アドホック、またはポイントツーポイントからなる群から選択されるネットワークトポロジをサポートすることができる。
【００５２】
さらなる実施形態では、出荷パッケージは、複数の他の出荷パッケージを格納するように構成されるかまたは構成可能なコンテナ内に格納または移送され得る。コンテナは、ネットワーク中継を備えることができ、ネットワークモジュールは、ネットワーク中継を介して通信を中継する。
【００５３】
他の実施形態では、出荷パッケージを追跡する方法は、別の出荷パッケージの別のセンサモジュールの別のノードとまたはセンサハブと通信するためのノードとしてセンサモジュールを構成することを含むことができる。次いで、ノードおよび別のノードまたはセンサハブとのワイヤレスセンサネットワークを作成する。ノードのうちの１つの間の通信が方向、強度が変化したかまたはネットワークから接続解除されたことを示すアラートを含むように出荷ステータスメッセージを構成する。
【００５４】
さらなる実施形態では、出荷パッケージは、ネットワークモジュール、バッテリモジュール、およびセンサモジュールに結合されたメモリモジュールを備えることができる。メモリモジュールは、出荷経路を用いて構成することができ、センサモジュールは、出荷パッケージ内、出荷パッケージ外の条件ステータス、または出荷パッケージ内の内容物のステータスを測定するように構成された温度センサ、化学センサまたは環境センサを含むことができる。
【００５５】
いくつかの実施形態は、生体センサが、顔認識のために構成されるかまたは構成可能なカメラ、音声認識のために構成されるかまたは構成可能なマイクロフォン、指紋リーダ、およびタッチパッドからなる群から選択されることを含むことができる。
【００５６】
他の実施形態では、出荷パッケージは、複数の他の出荷パッケージに近接し得る。ネットワークモジュールは、複数の他の出荷パッケージとのアドホックネットワークを形成することができる。
【００５７】
実施形態はまた、出荷パッケージを整列させるセンサのメッシュ／グリッドであり得るフルメッシュセンサネットワークを含み得るか、あるいは出荷パッケージ、封筒、バッグまたは他のコンテナ内の布地、包装紙または他の埋め込まれたセンサネットワークであってもよく、このセンサネットワークは、パッケージの形状を監視し、パッケージが破損、引き裂き、切断、または穿刺されたかどうかを認識する。これは、メッシュがその形状または形態において改変されたとき、あるいはセクションが切断または破損されたとき、アラートが送信され得ると判定され得る。メッシュセンサネットワークは、光ファイバまたは他のマイクロ接続を介して配線されてもよく、あるいはワイヤレスであってもよく、この場合、各センサは、ＲＦ、ＩＲ、または他の通信プロトコルを介してすべて互いにならびにワイヤレスセンサハブおよびプロセッサと通信するワイヤレスセンサグループ内のノードとして動作する。
【００５８】
またさらなる実施形態は、パッケージまたはキャリアが、化学的、電子的、可燃性、爆発性もしくは他の潜在的に危険なもしくは不安定な内容物のステータスを監視するための、または有機材料もしくは食品のステータスもしくは鮮度を監視するための、温度、化学物質、電界、放射、空気品質、空気圧、水質、湿度、細菌性の腐敗または他の測定システムなどの環境および／または生体センサを出荷パッケージの外側および／または内側に組み込むかまたは割り当てられてもよく、ならびに／あるいは移送中の動物もしくはペットのステータスを継続的に監視するための、心拍数、体温、血糖、身体運動、ストレスおよび他の生体測定システムおよび方法などの生体センサを含んでもよいことを含み得る。
【００５９】
いくつかの実施形態では、パッケージまたはキャリアはまた、内容物の移送のための正しい環境を維持するための、加熱、冷却、酸素または他の温度および環境制御システムを組み込むかまたは割り当てられてもよい。環境制御システムは、キャリアもしくはパッケージに組み込まれてもよいか、またはパッケージもしくはキャリアに取り付けられるかもしくは割り当てられてもよく、自律的に動作してもよいか、または遠隔制御されてもよい。
【００６０】
さらに他の実施形態では、出荷パッケージを追跡する方法は、中に内容物を受容するためのエンクロージャと、エンクロージャを封止するためのクロージャと、出荷情報を備えるラベルと、ネットワークモジュールと、センサモジュールと、メモリモジュールと、バッテリモジュールと、を備える、出荷パッケージを提供することを含むことができる。バッテリモジュールは、ネットワークモジュール、メモリモジュール、およびセンサモジュールに電力を提供し、本方法は、出荷パッケージによって実行される。メモリモジュール内にサービスレベルパラメータを受信する。センサモジュールによって、サービスレベルパラメータへの適合性を検出する。出荷パッケージが発送元と発送先との間を移動している間に、センサモジュールから取得されたセンサデータを監視する。ネットワークモジュールを介して外部デバイスに出荷ステータスメッセージを送信し、出荷ステータスメッセージは、センサデータに部分的に基づく。
【００６１】
いくつかの実施形態は、センサモジュールの光検出器を介して出荷パッケージに進入する光を監視することと、出荷パッケージに進入する光が所定の閾値を超えたことを示すアラートを含むように出荷ステータスメッセージを構成することと、を含むことができる。
【００６２】
さらなる実施形態は、センサモジュールによって、輸送中にエンクロージャ、クロージャおよび／またはラベルに関連付けられた少なくとも１つの導電性要素の一部分の破損を検出することと、エンクロージャ、クロージャ、および／またはラベルが損傷していることを示すアラートを含むように出荷ステータスメッセージを構成することと、を含むことができる。
【００６３】
いくつかの実施形態では、ネットワークモジュールは、アドホックネットワーキングプラットフォームとして構成されるかまたは構成可能であり得る。
【００６４】
いくつかの実施形態では、ネットワークモジュールは、ブロックチェーンネットワーキングおよびピアツーピアのトポロジとして構成されるかまたは構成可能であり得る。
【００６５】
いくつかの実施形態では、ネットワークモジュールは、１つ以上の追加の出荷パッケージシステムのネットワークモジュールと通信して、ネットワークモジュールのうちのどのネットワークモジュールが最も高い帯域幅を有するかを判定するように構成されるかまたは構成可能であり得る。
【００６６】
本技術のいくつかの実施形態は、デュプレックス指向性データおよびマルチメディアネットワーキング、電力最適化、動的デバイス構成、通信、ならびにデータ管理からなる群から選択される少なくとも１つのために構成されるかまたは構成可能なデータ管理システムを含むことができる。
【００６７】
いくつかの実施形態では、データ管理システムは、ネットワークモジュールに、またはネットワークモジュールからセンサ情報を送るかまたは受信する前に、センサ情報に優先順位を割り当てるように構成されるかまたは構成可能であり得る。
【００６８】
いくつかの実施形態では、データ管理システムは、センサ情報に１つ以上のランダム鍵暗号化コードを割り当てるように構成されるかまたは構成可能であり得、ランダム鍵暗号化コードの各々は、ネットワークモジュールを介して外部ディレクトリ上で共有される公開鍵と、センサ情報に対して署名、暗号化および復号するために出荷パッケージシステム上に記憶された秘密鍵とを含む。
【００６９】
このように、本技術の特徴は、以下のその詳細な説明がよりよく理解され得るように、および当技術分野への本貢献がよりよく理解され得るように、かなり広く概説された。
【００７０】
本技術の多数の目的、特徴および利点は、本技術の以下の詳細な説明を読めば当業者に容易に明らかになるであろうが、それでも、添付の図面と併せて本技術の実施形態を例示する。
【００７１】
このように、本開示が基づく概念は、本技術のいくつかの目的を実行するための他の構造、方法およびシステムを設計するための基礎として容易に利用され得ることを当業者は理解するであろう。したがって、特許請求の範囲は、本技術の趣旨および範囲から逸脱しない限り、そのような等価な構築物を含むと見なされる。
【００７２】
これらは、本技術の他の目的と共に、本技術を特徴付ける新規性の様々な特徴と共に、本開示に添付され本開示の一部を形成する特許請求の範囲において詳細に指摘される。本技術、その動作利点、およびその使用によって達成される特定の目的をよりよく理解するために、本技術の例示された実施形態がある添付の図面および説明的事項を参照する必要がある。本明細書では、本技術の複数の目的が識別されているが、特許請求される本技術は、識別された目的のほとんどまたはすべてを満たすことに限定されず、本技術のいくつかの実施形態は、ただ１つのそのような目的を満たすか、または全く満たさないことがあることを理解されるであろう。
【００７３】
本明細書では、本技術の複数の目的が識別されているが、特許請求される本技術は、識別された目的のほとんどまたはすべてを満たすことに限定されず、本技術のいくつかの実施形態は、ただ１つのそのような目的を満たすか、または本明細書で言及される目的のいずれも満たさないことがあることを理解されるであろう。
【００７４】
ここで図面、特に図１〜２１を参照すると、本技術のシステムおよび方法の一実施形態が示され、一般に参照番号１０によって示される。
【００７５】
図１Ａでは、一実施形態による、パッケージを追跡および／または監視するための本技術の新しい新規のパッケージ監視システムおよび方法１０の一実施形態が示され、説明される。より具体的には、パッケージ監視システムおよび方法１０は、本質的に、クロージャフラップ１４および側壁１６、ならびに電子機器およびセンサユニット２０を特徴とするパッケージまたはパッケージ１２のエンクロージャを含む。
【００７６】
いくつかの実施形態では、電子的構成要素およびセンサ構成要素は、集積回路（ＩＣ）の厚さおよびフットプリントを最小限に抑えるようにパッケージ化された単一のＩＣユニット２０として製造され得る。電子機器およびセンサユニット２０は、そのクロージャフラップ１４および／または側壁１６のうちの１つ以上のエッジに埋め込まれるかまたはそれと一体である、１つ以上の埋め込まれたマイクロ出荷パッケージコンピューティングハブ２２の形態であり得る。ハブ２２は、クロージャフラップ１４が閉じられ封止されたときに互いに隣接または接触するように、反対側に位置するクロージャフラップ１４上に含まれ得る。これにより、図１Ｂに最もよく示されているように、閉ポジションにあるときに、隣接するハブ２２間の電気回路を作成または閉鎖する。
【００７７】
ハブ２２の各々は、外部インターフェーシングモジュール２４および内部インターフェーシングモジュール４０を含むことができる。外部インターフェーシングモジュール２４は、カメラ２６、ライト２８、マイクロフォン３０、スピーカ３２、温度、湿度および環境センサ３４、充電パッド３６、ソーラーパネル３７、ならびに／またはタッチスクリーン３８のうちのいずれか１つを含むことができる。ハブ２２の接触センサ４２は、パッケージ１２が開いている、閉じている、または封止されているときを認識するように構成されている。
【００７８】
内部インターフェーシングモジュール４０は、接触センサ４２、赤外線（ＩＲ）センサ４４、ＩＲ／近ＩＲライト４６、マイクロフォン４８、スピーカ５０、放射センサ５２、電磁センサまたは磁力計５４、温度、湿度および環境センサ５６、二酸化炭素（ＣＯ2）、ならびにガスおよび化学センサ５８などの１つ以上の構成要素を含むことができるが、これらに限定されない。
【００７９】
クロージャフラップ１４および／または側壁１６は、センサハブ／ノード６２を特徴とするインターフェーシング層６０を含むことができる。あるいは、センサハブ／ノード６２を特徴とするインターフェーシング層６０は、パッケージ１２のクロージャフラップ１４および／または側壁１６に取り付け可能な印刷可能なカバー層６４と共に含まれ得る。
【００８０】
スマートパッケージ１２に含まれる電子機器およびセンサユニット２０は、バッテリ、キャパシタ、外部電磁エネルギー場、光起電、圧電、または供給源の組み合わせを含む様々な供給源によって電力供給されてもよい。多くの実施形態では、バッテリは再充電可能であり、バッテリは、パッシブＲＦＩＤタグまたはワイヤレス充電パッドと同様に、外部電磁エネルギーを受信する集積充電回路によって再充電される。バッテリは、スマートパッケージエンクロージャ１２、クロージャフラップ１４または側壁１６に組み込まれてもよく、パッケージが封止されるまで無効にされ得る。いくつかの実施形態では、バッテリ（複数可）は、ラベル、梱包テープ、包装紙、布地、デバイスまたはモジュールの形態でパッケージに取り付けられるかまたは割り当てられ得る。バッテリを作動させることは、タブを機械的に引っ張ること、またはセグメントを取り外すこと、バッテリを電子回路に接続すること、割り当てること、もしくは接触させること、あるいはバッテリをワイヤレスに作動させることによることを含む、様々な手段を介して行われてもよい。ワイヤードまたはワイヤレス充電は、倉庫、出荷コンテナ、車両などを含む様々な位置において行われもよい。
【００８１】
いくつかの場合には、スマートパッケージを閉じて封止すると、電子機器が電源投入されて初期化されるために、電子回路が完成されることになる。いくつかの実施形態では、ブートコードおよび構成情報が不揮発性メモリから読み取られてもよい。他の場合には、ブートコードは不揮発性メモリから読み取られ、構成情報はネットワークインターフェースを介してダウンロードされる。さらに他の場合には、構成情報を有するＳＩＭカードまたはＳＤカードなどの小型メモリカードが挿入され得る。さらに別の場合には、電子機器を構成するために、ハンドヘルド、ウェアラブル、車両または他のワイヤレスデバイス、ネットワーキングされたコンピューティング端末またはインターネット、ＶＰＮまたは他のネットワークベースのプログラムまたはアプリケーションを使用することができる。
【００８２】
図２Ａおよび２Ｂを参照すると、電子機器およびセンサユニット２０は、パッケージ１２のクロージャフラップ１４および／または側壁１６のうちの１つ以上のエッジに埋め込まれるかまたはそれと一体である、１つ以上の埋め込まれた高度な出荷パッケージコンピューティングハブ６６の形態であり得る。ハブ６６は、クロージャフラップ１４が閉じられ封止されたときに互いに隣接または接触するように、反対側に位置するクロージャフラップ１４と共に含まれ得る。このようにして、図２Ｂに最もよく示されているように、閉ポジションにあるときに、隣接するハブ６６間に電気回路を作成または閉鎖する。
【００８３】
ハブ６６の各々は、外部インターフェーシングモジュール６８および内部インターフェーシングモジュール７２を含むことができる。外部インターフェーシングモジュール６８は、カメラ２６、ライト２８、マイクロフォン３０、スピーカ３２、温度、湿度および環境センサ３４、充電パッド３６、ソーラーパネル３７、タッチスクリーン３８ならびに／または指紋スキャナ７０など、これらに限定されない１つ以上の構成要素を含むことができる。ハブ２２の接触センサ４２は、パッケージ１２が開いている、閉じている、または封止されているときを認識するように構成されている。
【００８４】
内部インターフェーシングモジュール７２は、接触センサ４２、カメラ２６、赤外線（ＩＲ）センサ４４、ＩＲ／近ＩＲライト４６、マイクロフォン４８、スピーカ５０、放射センサ５２、電磁センサまたは磁力計５４、温度、湿度および環境センサ５６、二酸化炭素（ＣＯ2）、ならびにガスおよび化学センサ５８などの１つ以上の構成要素を含むことができるが、これらに限定されない。
【００８５】
ハブ６６は、パスワード、生体識別、ＲＦＩＤチップ、または他の検証方法（複数可）を用いてロックおよびロック解除され得る磁気ラッチ、電子ラッチまたは機械ラッチなどのロック機構を含むことができる。接触センサ４２を含むことができるハブ６６のうちの第１のハブのエッジは、ロックボルト、ラッチまたは部材７６をさらに含むことができる。接触センサ４２を含むことができるハブ６６のうちの第２のハブのエッジは、ロックポート７８をさらに含むことができる。ロック部材７６は、ロックポート７８内に受容されるか、またはロックポート７８と係合可能であるように構成されている一方で、ロック動作を利用して、２つの隣接するハブ６６を一緒にロックし、それによってパッケージ１２の許可されていない開口を防止することができる。
【００８６】
埋め込まれたマイクロ出荷パッケージコンピューティングハブ２２および／または埋め込まれた高度な出荷パッケージコンピューティングハブ６６は、図３Ａ、３Ｂに最もよく示されているように、それぞれ１つ以上のクリップ８０、８２の形態であり得る。クリップ８０、８２は、パッケージ１２のクロージャフラップ１４および／または側壁１６のうちの１つ以上のエッジに埋め込まれるか、またはそれと一体化され得る。クリップ８０、８２は、クロージャフラップ１４が閉じられ封止されたときに互いに隣接または接触するように、反対側に位置するクロージャフラップ１４に取り付けられ得る。
【００８７】
図４Ａは、限定はしないが、タッチスクリーン、フィンガープリンタリーダ、バイオメトリクススキャナ、撮像ユニット、ネットワーキングモジュール、カメラ、ライト、マイクロフォン、スピーカ、温度、湿度および環境センサ、充電パッド、ならびに／またはソーラーパネルなど、１つ以上の構成要素を含む埋め込まれたスマートラベル８４の形態であり得る電子機器およびセンサユニット２０の例を示す。スマートラベル８４は、パッケージ１２のクロージャフラップ１４および／または側壁１６の上に、それに対して、またはそれと共に埋め込まれ得る。一対の接触センサモジュール８６が、クロージャフラップ１４のエッジの上に、それと共に、またはそれに対して埋め込まれ得る。接触センサモジュール８６は、パッケージ１２が開いている、閉じている、または封止されているときを認識し、スマートラベル８４とワイヤレス通信するように構成される。スマートラベル８４および接触センサモジュール８６は、互いのワイヤレス通信のために構成されるかまたは構成可能な送信機、受信機および／またはトランシーバを含むことができる。
【００８８】
図４Ｂは、限定はしないが、タッチスクリーン、フィンガープリンタリーダ、バイオメトリクススキャナ、撮像ユニット、ネットワーキングモジュール、カメラ、ライト、マイクロフォン、スピーカ、温度、湿度および環境センサ、充電パッド、ならびに／またはソーラーパネルなど、低電力ディスプレイおよび１つ以上の構成要素を含む取り付け可能なスマートラベル８８の形態であり得る電子機器およびセンサユニット２０の例を示す。スマートラベル８８は、パッケージ１２のクロージャフラップ１４および／または側壁１６に取り付け可能であり得る。一対の取り付け可能な接触センサモジュール９０が、クロージャフラップ１４のエッジの上に、それと共に、またはそれに対して取り付けられ得る。接触センサモジュール９０は、パッケージ１２が開いている、閉じている、または封止されているときを認識し、スマートラベル８８とワイヤレス通信するように構成される。スマートラベル８８および接触センサモジュール９０は、互いのワイヤレス通信のために構成されるかまたは構成可能な送信機、受信機および／またはトランシーバを含むことができる。
【００８９】
いくつかの実施形態では、電子機器およびセンサユニットは、図５Ａ〜Ｃに最もよく示されているように、エンクロージャ材料の内層の内側に、外側に、または間に配置されてもよい。いくつかの実施形態では、図５Ａに示されているように、エンクロージャ１２は、クロージャを封止解除することによって、またはエンクロージャの表面内のスロットもしくは穴を切断することによって開かれているエンクロージャの検出を可能にするために、導電性回路、メッシュ、またはセンサネットワークを形成するための導電性布地、織物、ワイヤ、ストリップ、または要素９２を含む埋め込まれたメッシュセンサを備え得る。
【００９０】
いくつかの実施形態では、図５Ｂに示されているように、エンクロージャ１２は、クロージャを封止解除することによって、またはエンクロージャの表面内のスロットもしくは穴を切断することによって開かれているエンクロージャの検出を可能にするために、導電性回路、メッシュ、またはセンサネットワークを形成するための回路センサ９４を備え得る。
【００９１】
いくつかの実施形態では、図５Ｃに示されているように、エンクロージャ１２は、クロージャを封止解除することによって、またはエンクロージャの表面内のスロットもしくは穴を切断することによって開かれているエンクロージャの検出を可能にするために、導電性回路、メッシュ、またはセンサネットワークを形成するための光ファイバセンサ９６を備え得る。センサ９２、９４、９６のいずれも、センサ９２、９４、９６において破損を検出するために、電子機器およびセンサユニットと通信することができる。センサ９２、９４、９６は、エンクロージャ１２の外面もしくは内面上に位置付けることができ、またはエンクロージャ１２を形成するパネリングに組み込む／埋め込むことができる。
【００９２】
図６Ｂに最もよく示されているように、本技術は、パッケージ１２内に受容可能である埋め込まれたセンサパッケージング９８を含むことができる。埋め込まれたセンサパッケージング９８は、センサ９２、９４、９６のいずれかと共に埋め込まれた開閉可能なエンクロージャであり得る。
【００９３】
図６Ｂは、内部パッケージコーナーおよび／または壁掛けセンサ１０２を含むことができる内部パッケージセンサハブ１００の形態の電子機器およびセンサユニットを含むことができる紙、パッケージング、布地またはラッピングの例を示す。センサ１０２は、互いにおよびセンサハブ１００とワイヤまたはワイヤレス通信することができる。コーナーおよび／または壁掛けセンサ１０２は、本技術と共に利用するために説明されるセンサのいずれかであり得る。
【００９４】
図７Ａは、取り付け可能なスマートタイセンサハブ１０６の形態の電子機器およびセンサユニットを含むバッグ１０４の形態のパッケージまたはエンクロージャの例を示す。センサハブ１０６は、バッグ１０４の一部分の周りに縛られるかまたは固定され、限定はしないが、バッグ１０４を開くことなどの状態を検出するように構成されるかまたは構成可能である。
【００９５】
図７Ｂは、埋め込まれたスマートタイセンサハブ１１０の形態の電子機器およびセンサユニットを含むスマートバッグ１０８の形態のパッケージまたはエンクロージャの例を示す。センサハブ１１０は、スマートバッグ１０８と共に埋め込まれ、バッグ１０８の一部分の周りに縛られるかまたは固定され得る一部分を有する。スマートバッグ１０８は、センサハブ１１０と通信し、限定はしないが、バッグ１０８を開くことまたは裂くことなどの状態を検出するように構成された、導電性ストリップと共に埋め込まれ得る。
【００９６】
図８Ａを参照すると、本技術は、ロール１１４で供給されるセグメント１１２を含むスマートパッケージングテープ１１１の形態であり得る。各セグメント１１２は、その各端部に１つ以上のスマートテープ端部接触センサハブ１１６を含み、その中に埋め込まれるかもしくはそれに組み込まれたワイヤードおよび／またはワイヤレスセンサネットワーク１１８を含むことができる。ワイヤレスアンテナ１２０は、遠隔電子デバイスまたは構成要素とのワイヤレス通信を提供するために、接触センサハブ１１６の各々と共に含まれ得る。
【００９７】
テープ１１１は、図８Ｂに最もよく示されているように、パッケージ１２のエッジまたはクロージャフラップを固定するために使用することができ、テープ１１１の長さは、少なくとも１つの端部接触センサハブ１１６が無傷で使用可能であるように実装されることが理解され得る。
【００９８】
図９を参照すると、本技術は、プリンタフレンドリーであり得る取り付け可能な１回使用のスマートラベル１２２と共に、またはそのようなスマートラベル１２２として利用することができる。スマートラベル１２２は、スマートラベル１２２をパッケージに固定することができるアタッチメントまたは接着層１２４を含むことができる。
【００９９】
接着層１２４に隣接するのは、少なくとも１つのエッジ上に位置する少なくとも１つの中央処理ユニット（ＣＰＵ）またはプロセッサ１２８、ＣＰＵ１２８に動作可能に接続された音声／データワイヤレス通信モジュール１３０、通信モジュール１３０に動作可能に接続されたワイヤレスアンテナ１３２、ＣＰＵ１２８に動作可能に接続された電源もしくはバッテリ１３４、ならびに／あるいはＣＰＵ１２８、通信モジュール１３０および／または電源もしくはバッテリ１３４に動作可能に接続された導電性布地もしくは織物メッシュセンサ１３６を含む電子機器および電源層１２６であり得る。
【０１００】
電子機器および電源層１２６に隣接するのは、印刷された内容、情報および／またはロゴ１４０、無線周波数識別（ＲＦＩＤ）タグ１４２、ならびに／あるいはバーコード１４４を含むことができる印刷可能なカバー層１３８である。接着層１２４、電子機器および電源層１２６、ならびに印刷可能なカバー層１３８は一緒にスマートラベル１２２を形成することができることが理解され得る。スマートラベル１２２は、パッケージに取り付け可能である。
【０１０１】
図１０を参照すると、本技術は、取り付け可能な複数回使用のスマートラベル１５４と共に、またはそのようなスマートラベル１５４として利用することができる。スマートラベル１５４は、スマートラベル１５４をパッケージに固定することができる接着剤１６４を含むアタッチメントまたは接着層１６２を含むことができる。
【０１０２】
接着層１５４に隣接するのは、限定はしないが、高解像度マルチメディアインターフェース（ＨＤＭＩ(登録商標)）／ビデオカード１７４、フラッシュメモリストレージ／ＲＡＭ１７６、交換可能フラッシュメモリ１７８、タッチスクリーン／ＵＩ／ディスプレイモジュール１８０、マイクロフォン／スピーカオーディオドライバ１８２、カメラ／撮像センサ／ビデオドライバモジュール１８４、指紋スキャナモジュール１８６、環境センサモジュール１８８、加入者識別モジュール（ＳＩＭ）カード１９０、グローバルナビゲーションサテライトシステム（ＧＮＳＳ）／グローバルポジショニングシステム（ＧＰＳ）モジュール１９２、音声／データワイヤレス通信モジュール１９４、限定はしないが加速度計、ジャイロスコープ、高度計、コンパスなどの配向センサ１９６、ワイヤレスアンテナ１９８、バッテリ２００、電力管理モジュール２０２、および／または電力誘導モジュール２０４などの構成要素と動作可能に接続された少なくとも１つの中央処理ユニット（ＣＰＵ）またはプロセッサ１７２を含む電子機器および電源層１７０であり得る。
【０１０３】
電子機器および電源層１７０に隣接するのは、限定はしないが、カメラ２６、充電パッド３６、ソーラーパネルまたはセル３７、ＩＲセンサ４４、ＩＲ／近ＩＲライト４６、マイクロフォン４８、スピーカ５０、温度、湿度および環境センサ５６、指紋スキャナ７０、ならびにタッチスクリーン３８などの構成要素を含むことができるインターフェーシング層２０６である。
【０１０４】
図１１Ａ〜Ｆを参照すると、いくつかの実施形態では、パッケージ１２は、本技術の実施形態を含むか、または本技術の実施形態と共に利用され得る。図１１Ａに示されているように、スマートテープ１１１を使用してパッケージのエッジまたはフラップを封止することができる。図１１Ｂに示されているように、１回使用のスマートラベル１２２をパッケージに取り付けることができる。図１Ｃに示されているように、スマートテープ１１１と通信する取り付け可能な複数回使用のスマートラベル１５０をパッケージと共に使用することができる。複数回使用のスマートラベル１５０は、タッチパッドおよび／またはボタンアレイ１５２を含むことができる。図１Ｄに示されているように、複数回使用のスマートラベル１５０は、スマートテープ１１１とワイヤレス通信することができる。図１１Ｅに示されているように、スマートテープ１１１と通信する代替の取り付け可能な複数回使用のスマートラベル１５４は、パッケージと共に使用することができる。複数回使用のスマートラベル１５４は、画面、ディスプレイ、タッチスクリーン、指紋リーダ、バイオメトリクススキャナおよび／または撮像１５６を含むことができる。図１１Ｆに示されているように、複数回使用のスマートラベル１５０は、スマートテープ１１１とワイヤレス通信することができる。
【０１０５】
図１２Ａに示されているように、取り付け可能な１回使用のスマートラベル１２２は、印刷された内容、情報および／またはロゴ１４０、無線周波数識別（ＲＦＩＤ）タグ１４２、ならびに／あるいはバーコード１４４を含む印刷可能なカバー層１３８を含むことができる。
【０１０６】
図１２Ｂに示されているように、取り付け可能な複数回使用のスマートラベル８８は、限定はしないが、低電力非対話型ユーザインターフェースもしくはグラフィックコンテンツディスプレイ１５８、カメラ２６、充電パッド３６、ソーラーパネルもしくはセル３７、マイクロフォン４８、および／またはスピーカ５０などの構成要素を含むことができる。
【０１０７】
図１２Ｃに示されているように、取り付け可能な複数回使用のスマートラベル１５０は、カメラ２６、充電パッド３６、ソーラーパネルまたはセル３７、ＩＲセンサ４４、ＩＲ／近ＩＲライト４６、マイクロフォン４８、スピーカ５０、温度、湿度および環境センサ５６、指紋スキャナ７０、ならびにボタンアレイ１５２を含むことができる。
【０１０８】
図１２Ｄに示されているように、取り付け可能な複数回使用のスマートラベル１５４は、限定はしないが、カメラ２６、充電パッド３０、ソーラーパネルもしくはセル３６、ＩＲセンサ４４、ＩＲ／近ＩＲライト４６、マイクロフォン４８、スピーカ５０、温度、湿度および環境センサ５６、指紋スキャナ７０、ならびに／またはタッチスクリーン３８などの構成要素を含むことができる。タッチスクリーン３８は、タッチスクリーンアイコンまたはインターフェース１６０を利用することができる。
【０１０９】
図１３を参照すると、本技術のパッケージ監視システムおよび方法１０を利用する人物２１０は、限定はしないが、出荷もしくは配送者、パッケージの受領者、パッケージの取扱者、および／またはパッケージに関する情報を入手もしくは取得することを許可された任意の人物であり得る。本技術の実施形態と共に利用されるタッチスクリーンまたはディスプレイは、作動可能なアイコンまたはインターフェースを含むことができる。これらのアイコンまたはインターフェースは、限定はしないが、セルラ通信２１２、ワイヤレスネットワーキング（Ｗｉ−Ｆｉ（登録商標）、Ｂｌｕｅｔｏｏｔｈ（登録商標）、Ｂｌｕｅｔｏｏｔｈ  Ｌｏｗ  Ｅｎｅｒｇｙ（ＢＬＥ）、無線周波数（ＲＦ）、ＡＮＴ、ＳｉｇＦｏｘ、ＺｉｇＢｅｅ、ナローバンドインターネットオブシングス（ＮＢ−ＩｏＴ）、家電製品用無線周波数（ＲＦ４ＣＥ）、近距離通信（ＮＦＣ）、ＲＦＩＤ、または同様のもの）２１４、ピアツーピアネットワーキング２１６、ＧＰＳロケーション２１８、セキュアワイヤレスネットワーキングデバイス認証２２０、ワイヤレス支払い２２２、クレジットカード支払い２２６、ブロックチェーン２２４、仮想通貨２２６、時間およびスケジュール２３０、ＣＰＵおよびメモリ２３２、ビデオまたは静止カメラ２３４、マイクロフォン２３６、スピーカ２３８、タッチスクリーンディスプレイ２４０、動作および加速度２４２、配向２４４、高度および空気圧２４６、コンパスおよび方向２４８、光ＩＲおよびＵＶ２５０、ならびに／あるいは温度および湿度２５２に関連付けられ得る。これらの技術の多くは、スター、メッシュおよびピアツーピアのトポロジ、または上記のいずれかのハイブリッドの組み合わせをサポートしている。
【０１１０】
図１４を参照すると、いくつかの実施形態では、本技術のパッケージ監視システムおよび方法１０はまた、スマートパッケージに近接しているかまたはパッケージと対話する人物２１０の作業者ＩＤを記録してもよい。これは、ＩＤバッジ２５５内のＲＦＩＤまたは他の送信機によって、ＩＤデータと共に自動的に記録される時間およびＧＰＳポジションスタンプを用いて行われてもよい。出荷作業者ＩＤの記録はまた、パッケージが受領もしくは移動されること、ドロップされること、または開かれることなどのアクションによってトリガされ得る。スマートパッケージまたはリモートリンクされた外部センサは、デポ作業者からトラック運転手へなど、出荷作業者間で配送または転送されたときなど、パッケージの輸送の特定のポイントにおいて個人を認識するようにプログラムすることもできる。これらの個人は、顔認識２５４、ＲＦＩＤ２５６、指紋認識２５８、セキュアワイヤレスネットワーキングデバイス認証２６０、目／虹彩認識２６２、音声コマンド／音声認識２６４、パターン認証２６６、英数字キーパッド／パスコード２６８、眼鏡／スマートグラス２７０、ＧＰＳ、セルラまたはスマートフォン２５５、時計またはスマートウォッチ２５９、Ｗｉ−Ｆｉ（登録商標）、Ｂｌｕｅｔｏｏｔｈ（登録商標）、ＮＦＣタグまたは他のタグ、デバイスまたはセンサ手段によって識別され得る。オンラインギフト購入者または企業など、パッケージを送る人物は、当該パッケージを受け取ることを許可された個人の写真をアップロードするオプションを有する。受領者の識別および認証を使用して、法的文書の配送を記録することもできる。
【０１１１】
本技術のパッケージ監視システムおよび方法１０を利用するパッケージは、図１５Ａに最もよく示されているように、腐敗しやすい商品を移送するために使用することができる。限定はしないが、食品および乳製品などの腐敗しやすい商品は、移送中の環境条件の変化の影響を受けやすい。本技術は、光、ＩＲおよびＵＶセンサ２７２、温度および湿度センサ２７４、温度監視および制御システム２７６、電気／光／電力制御システム２７８、ガス測定および制御システム２８０、化学組成測定および制御システム２８２、湿度監視および制御システム２８４、ならびに／または生物学的内容物検証および制御システム２８６を含むことができる。
【０１１２】
本技術のパッケージ監視システムおよび方法１０を利用するパッケージは、図１５Ｂに最もよく示されているように、腐敗しにくい商品を移送するために使用することができる。限定はしないが、電子部品および化学製品などの腐敗しにくい商品は、移送中の環境条件の変化の影響を受けやすい。本技術は、限定はしないが、電気監視システム２８８、電磁監視システム２９０、火災監視システム２９２、爆発物／燃焼監視システム２９４、バイオハザード／化学監視システム２９６、酸／腐食性物質監視システム２９８、放射監視システム３００、および／または有毒ガス監視システム３０２などの構成要素を含むことができる。
【０１１３】
図１６Ａ〜１６Ｂは、本技術のスマートペットキャリアコンピューティングハブ３０５を含むスマート動物クレート３０４の形態のパッケージまたはエンクロージャの例を示す。ペットキャリアコンピューティングハブ３０５は、クレートのドアまたは格子に取り付け可能であるかまたは組み込まれ得る。スマート動物クレート３０４と共に含まれる電子機器およびセンサは、限定はしないが、クレート３０４のドアまたはゲートを開くことなどの状態を検出するように構成されるかまたは構成可能である。図１６Ａに示されているように、スマート動物クレート３０４は、限定はしないが、温度監視および制御システム３０６、冷却システム３０８、加熱システム３１０、心臓／健康監視システム３１２、騒音認識システム３１４、ならびに／または動物体温／水分補給監視システム３１６などの構成要素を含むように構成されるかまたは構成可能であり得る。
【０１１４】
図１６Ｂに示されているように、スマート動物クレート３０４は、限定はしないが、インターネットオブシングス（ＩｏＴ）／ネットワーキングおよび制御システム３１８、水分配制御システム３２０、食品分配制御システム３２２、スマート動物マット３２４、カメラ３３０、マイクロフォン３３２、スピーカ３３４、ネットワーキングされた水分配器３３６、ならびに／またはネットワーキングされた食品分配器３３８などの構成要素を含むことができる。スマート動物マット３２４は、スマート動物クレート３０４の床の上に位置するように構成することができ、生体センサ３２６、ならびに／または加熱および冷却パッド３２８を含むことができる。生体センサ３２６は、ＩＲ、光学、脳波記録法（ＥＥＧ）および／または聴取レートセンサであり得る。ネットワーキングされた水分配器３３６およびネットワーキングされた食品分配器３３８は、クレート３０４の壁、床、天井または格子に取り付けられ、リモート信号を受信することによって作動するように構成されるかまたは構成可能である。
【０１１５】
図１７Ａ〜１７Ｂを参照すると、いくつかの実施形態では、スマート動物クレート３０４および／またはペットキャリアコンピューティングハブ３０５は、別のスマートクレート３０４、別のペットキャリアコンピューティングハブ３０５、別のスマート動物マット３２４、動物３４２上のスマート動物カラー３４０、ネットワークハブもしくはサーバ３４４、ポータブル電子デバイス３４６、セルラシステムもしくはデバイス３４８、および／または移送車両コンピュータシステム３５０と通信し得る。ネットワークハブまたはサーバ３４４はまた、ポータブル電子デバイス３４６および移送車両３５０と通信することもできる。ポータブル電子デバイス３４６はまた、セルラシステムまたはデバイス３４８と通信することもできる。ペットキャリアコンピューティングハブ３０５は、電子機器およびセンサユニット２０と交換されるかまたは交換可能であり得ることが理解され得る。
【０１１６】
図１８Ａを参照すると、いくつかの実施形態では、ユーザは、限定はしないが、スマートフォン、テーブル、ラップトップ、コンピュータ、パーソナルデジタルアシスタントまたはパーソナルデータアシスタント（ＰＤＡ）、モバイル電子デバイスなどの外部デバイス３４６を利用して、スマートパッケージ１２の電子機器およびセンサユニット２０と直接通信し得る。図１８Ｂでは、いくつかの実施形態では、ユーザは、セルラまたはワイヤレスシステム３４８を介して外部デバイス３４６を利用してスマートパッケージの電子機器およびセンサと直接通信し得る。
【０１１７】
図１９Ａを参照すると、いくつかの実施形態では、スマートパッケージ１２の電子機器およびセンサユニット２０のネットワークモジュールは、アドホックピアツーピアスマートパッケージ通信ネットワーク３５２を介して互いに直接通信し得る。センサモジュールまたはラベルは、別の出荷パッケージの別のセンサモジュールの別のノードとまたはセンサハブと通信することができるノードとして構成され得る。このようにして、ノードおよび別のノードまたはセンサハブ、スマートパッケージプラットフォーム／ネットワーク３４４とのワイヤレスセンサネットワークを作成する。出荷ステータスメッセージは、ノードのうちの１つの間の通信が方向、強度が変化したかまたはネットワークから接続解除されたことを示すアラートを含むように構成され得る。
【０１１８】
いくつかの実施形態では、図２０Ａに示されているように、スマートパッケージ１２は、ネットワークハブまたはサーバ３４４、ポータブル電子デバイス３４６、セルラシステムまたはデバイス３４８、飛行機コンピュータシステム３５０、配送ドローン／ＵＡＶコンピュータシステム３５２、配送または受領位置特定システム３５８、メールボックスシステム３６０、メール／配送ステーション／ストアシステム３６２、建物／オフィスシステム３６４、配送トラック／車両３６８、出荷センター／倉庫システム３７０、および／あるいは衛星３７２と直接通信し得る。
【０１１９】
いくつかの実施形態では、図２０ｂに示されているように、スマートパッケージ１２は、ネットワークハブまたはサーバ３４４、セルラシステムまたはデバイス３４８および／あるいは衛星３７２と直接通信し得る。ネットワークハブまたはサーバ３４４はまた、限定はしないが、トラック、建物、倉庫、出荷コンテナ、パレット、または複数のスマートパッケージが格納されるかもしくは位置し得る他の位置など、他のネットワークハブまたはサーバと通信することができる。
【０１２０】
図２１を参照すると、いくつかの実施形態では、電子機器およびセンサユニット２０は、少なくとも１つのネットワークモジュール３８０、少なくとも１つのセンサモジュール３８２、少なくとも１つのバッテリモジュール３８４、少なくとも１つのメモリモジュール３８６（例えば、揮発性および不揮発性メモリ）、１つ以上のプロセッサまたはマイクロコントローラ３８８（例えば、中央処理ユニット（ＣＰＵ）、グラフィックス処理ユニット（ＧＰＵ）、またはその両方）、ならびに少なくとも１つのユーザインターフェース３９０を含むことができ、これらのすべては、バスを介して互いに通信し得る。ＣＰＵ３８８は、ネットワークモジュール３８０、センサモジュール３８２、およびユーザインターフェース３９０から情報を受信し、および／またはそれらを制御することができる。
【０１２１】
図２２Ａ〜２３Ｂを参照すると、いくつかの実施形態では、本技術は、ディスプレイおよび／またはインターフェースを含んでも含まなくてもよい１つ以上のスマートクリップ４００の形態であり得る。クリップ４００は、外部コンピューティングおよびセンサモジュール４０２、内部コンピューティングおよびセンサモジュール４０４、ならびに外部モジュール４０２および内部モジュール４０４を一緒にまたはパッケージ１０の一部分に枢動可能に結合するヒンジ、クランプまたはコネクタ４０６を含むことができる。クリップ４００は、パッケージ１０のクロージャフラップ１４および／または側壁のうちの１つ以上のエッジの周りで枢動することができる。あるいは、クリップ４００は、パッケージ１０のクロージャフラップ１４および／または側壁のうちの１つ以上に埋め込まれるか、またはそれと一体化され得る。クリップ４００は、クロージャフラップ１４が閉じられ封止されたときに互いに隣接または接触するように、反対側に位置するクロージャフラップ１４に取り付けられ得る。
【０１２２】
外部モジュール４０２および／または内部モジュール４０４は、温度、湿度および／または環境センサ４０８、ライト４１０、カメラ４１２、ＩＲ／近ＩＲライト４１４ならびに／あるいはスピーカ４１６を含む電子パッケージを含むことができる。例示では、外部モジュール４０２は、パッケージ１０の外部の視野または方向で配向された電子機器パッケージを有し得る一方、内部モジュール４０４は、パッケージ１０の内部の視野または方向で配向された電子機器パッケージを有し得る。
【０１２３】
クリップ４００は、図２４に最もよく示されているように、スマートパッケージングテープ１１１と共に利用することができる。テープ１１１は、パッケージ１２のエッジまたはクロージャフラップを固定するために使用することができ、テープ１１１の長さは、少なくとも１つの端部接触センサハブが無傷で使用可能であるように実装される。エンクロージャ１２、接着テープ１１１、クロージャフラップ１４、およびクリップ４００は、クロージャを封止解除することによって、またはエンクロージャの表面内のスロットもしくは穴を切断することによって開かれているエンクロージャの検出を可能にするために、導電性回路、メッシュ、またはセンサネットワークを形成するための埋め込まれた導電性ワイヤ、ストリップ、または要素を備え得る。導電性要素は、厚いもしくは薄いワイヤ、導電性ストリップ、導電性表面、導電性インク、または任意の数の同様の方法を使用することによって形成され得る。エンクロージャ内の導電性要素は、同じく導電性であるかまたは導電性要素を有するクロージャによってエンクロージャの開口部において連結されてもよい。導電性要素を有するラベルを使用して、導電性回路を完成させてもよい。導電性要素は、抵抗性または容量性ネットワークを形成する。エンクロージャを開く、切断する、スライスする、破砕する、またはその中に穴を開けると、エンクロージャの抵抗値または容量値が変更され、スマートパッケージ電子機器によって検出される。これは、組み込まれたセンサによって検出され、ネットワークを介してＣＰＵによって改ざんまたは開封イベントまたはアラートとして報告される。
【０１２４】
図２５Ａおよび２５Ｂを参照すると、クリップ４００は、モジュール４０２、４０４のうちの１つの内側から延在するスクリューコネクタ４２０を含むことができ、スクリューコネクタポート４２２は、クリップ４００が閉ポジションに枢動されたときにスクリューコネクタ４２２を確実に受容するように、他方のモジュールの内側に画定される。
【０１２５】
締め付け／解放モジュール４２４は、モジュール４０２、４０４内に回転可能に位置することができ、締め付け／解放モジュール４２４の回転時にスクリューコネクタ４２０の時計回りまたは反時計回りのいずれかの方向の回転運動を提供するためにスクリューコネクタ４２０と動作可能に接続され得る。締め付け／解放モジュール４２４を回転させると、外部モジュール４０２および内部モジュール４０４が一緒に締め付けおよびクランプされるか、あるいはそれらが解放される。締め付け／解放モジュール４２４は、ユーザの指によって操作されるための凹部および／またはグリップを含むことができる。
【０１２６】
図２６Ａを参照すると、クリップ４００は、モジュール４０２、４０４のうちの１つの内側から延在するノッチ付き磁気ピンコネクタ４２６を含むことができ、ノッチ付き磁気ピンコネクタポート４２８は、クリップ４００が閉ポジションに枢動されたときにノッチ付き磁気ピンコネクタ４２６を確実に受容するように、他方のモジュールの内側に画定される。
【０１２７】
手動ロック解除／解放システム４３０は、モジュール４０２、４０４内に関連付けられて可動であり、ノッチ付きピンコネクタ４２６と係合または係合解除させるように磁気または鉄部材を移動させるために、スクリューコネクタ４２０と動作可能に接続され得る。締め付け／解放モジュール４２４を回転させると、外部モジュール４０２および内部モジュール４０４が一緒に締め付けおよびクランプされるか、あるいはそれらが解放される。締め付け／解放モジュール４２４は、ユーザの指によって操作されるための凹部および／またはグリップを含むことができる。
【０１２８】
図２６０を参照すると、クリップ４００は、モジュール４０２、４０４のうちの１つの内側から延在するボルト穴ピンコネクタ４３２を含むことができ、ボルト穴ピンコネクタポート４３４は、クリップ４００が閉ポジションに枢動されたときにボルト穴ピンコネクタ４３２を確実に受容するように、他方のモジュールの内側に画定される。
【０１２９】
図２７Ａおよび２７Ｂを参照すると、ヒンジなしで代替実施形態のクリップ４４０を利用することができ、したがって、一緒に取り付け可能である分離された外部モジュール４０２および内部モジュール４０４を作成することができる。例示では、クリップ４４０は、ノッチ付き磁気ピンコネクタ４２６、ノッチ付き磁気ピンコネクタポート４２８、および手動ロック解除／解放システム４３０を含むことができる。さらに例示では、クリップ４４０は、ボルト穴ピンコネクタ４３２およびボルト穴ピンコネクタポート４３４を含むことができる。
【０１３０】
クリップ４４０は、図２５Ａおよび２５Ｂのスクリューコネクタ、スクリューコネクタポートおよび締め付け／解放モジュールを含むことができることが理解され得る。
【０１３１】
図２８Ａおよび２８Ｂを参照すると、クリップ４００（または図示されていないクリップ４４０）は、クリップ４００またはヒンジ４０６の反対側にあるかまたはそれに隣接する、パッケージ１０のクロージャフラップ１４および／または側壁上のロック機構４４２のポジションと共に利用され得る。ロック機構４４２は、クリップ４００と確実に係合またはロックして、クリップ４００の許可されていない改ざん、開封および／または取り外し、ならびに／あるいはパッケージ１０のクロージャフラップ１４および／または側壁の開封を防止するように構成される。
【０１３２】
本技術の使用の一例は、中に含まれるスマートパッケージと通信するネットワーク対応出荷コンテナが、スマートパッケージのネットワーキング要件およびトラフィックを効果的に管理できることであり得る。これにより、スマートパッケージは、それが中で出荷されているコンテナを認識することもできる。またこれにより、スマートパッケージは、より少ない電力を使用するか、あるいは直接充電またはワイヤレス充電を介してコンテナから再充電することもできる。同様に、複数のスマートパッケージは、ネットワークハブの有無にかかわらず、メッシュネットワークまたは他のアドホックネットワークトポロジを形成し得る。この構成では、ネットワーキングされたコンテナまたは車両は、スマートパッケージの積荷と一緒に、外部ネットワークに対して単一のシステムとして現れるネットワーキングされたアドホックシステムを形成し得る。
【０１３３】
本技術のさらなる例は、電子機器およびセンサユニット２０がまた、エンクロージャに固定されてもよく、エンクロージャ１２に組み込まれてもよく、クロージャ１４を形成してもよく、またはクロージャ１４への追加であってもよいことである。本技術のラベルは、今日通常行われるように印刷された情報を含むことができ、ユーザ入力を可能にするフラットパネルディスプレイおよびユーザインターフェースを含むこともできる。ディスプレイは、薄膜トランジスタ（ＴＦＴ）、電子インク（ｅインク）、または他の同様の技術を使用してもよく、剛性または可撓性ディスプレイであり得る。ユーザ識別、認証、または支払い処理を可能にするための実装のために、生体センサ、画像センサ、カードリーダ、およびスピーカが含まれてもよい。
【０１３４】
ネットワークは、ＩＥＥＥ８０２Ｗｉ−Ｆｉ（登録商標）、セルラネットワーク、Ｂｌｕｅｔｏｏｔｈ（登録商標）、ＲＦＩＤ、ＮＦＣなどを含む、当技術分野において既知のいずれか１つまたはいくつかのプロトコルをサポートし得る。スマートパッケージは、その位置を認識しているため、航空機内にあるときに自動的に「飛行機モード」になるように構成されてもよい。それはまた、車両、コンテナ、または建物内にあるときには不要であり得るワイヤレスインターフェースを自動的に無効にしてもよく、これらの場所では、それは、そのすぐ間近の周囲とワイヤレス連絡し、周囲のネットワーキングハードウェアをルータ、アクセスポイント、またはハブとして使用する。多くの場合、スマートパッケージは、出荷または配送会社などの中央サーバまたはサービスに接続し得る。出荷人、受取人、または他の許可された当事者は、パッケージステータスの更新をパッケージから直接受信するか、パッケージ追跡ウェブサイト、プラットフォーム、ソフトウェアアプリケーションを介して受信するか、または出荷会社のウェブサイトを通して受信することもできる。更新、ステータス変更、およびアラートは、外部ネットワーキングデバイスによって照会されてもよく、スマートパッケージ自体によって報告されてもよく、ローカルもしくはリモートでログされてもよく、またはこれらの方法の組み合わせでもよい。
【０１３５】
スマートパッケージはまた、可視光または非可視光を使用する様々な撮像センサのいずれかを含んでもよい。これらは、パッケージが位置する領域を撮像するために、バーコードなどの外部識別タグを撮像するために、またはパッケージを送る、移送する、受け取る、閉じる、もしくは開く人物を撮像するために使用されてもよい。画像センサ（複数可）は、スマートパッケージ上に位置するかまたはスマートパッケージに組み込まれるか、あるいはパッケージに取り付けられたスマートラベル、テープまたはデバイスに組み込まれてもよく、パッケージが受領もしくは移動、開封または改ざんされたときに撮像を開始するようにプログラムすることができる。いくつかの場合には、パッケージの内部で光が検出されたときに、光センサを使用して画像センサをオンにする。画像は、スマートパッケージ電子機器内のローカルメモリ内で処理または記憶されてもよく、あるいはネットワークを介して外部サーバまたはデバイスにアップロードされてもよい。
【０１３６】
また、パッケージの盗難が検出されると、パッケージ化されたデバイス内の電子機器の無効化、パッケージ上もしくはパッケージ内の、または運搬車両もしくは保管スペース内の可聴または光アラームを含むアラートシステムの作動、セルラ、Ｗｉ−Ｆｉ（登録商標）、Ｂｌｕｅｔｏｏｔｈ（登録商標）、ＮＦＣもしくは他のリモート、ワイドエリア、ローカルエリアおよび短距離手段を介したローカルセキュリティもしくはキャリアスタッフへのまたはインターネットを介した他のエージェントへのアラート送信、あるいは（スマートパッケージはＩｏＴ、インターネットオブシングスデバイスであるので）盗まれたデバイスがインターネットに接続されるとすぐに、盗まれたデバイスによってネットワークを介して窃盗犯のＩＰアドレスおよびＧＰＳ座標を自動送信することなどのイベントをトリガすることもできる。アラート送信はまた、パッケージがその事前に割り当てられた移動経路を離れた場合にトリガされ得るか、あるいはパッケージの事前に設定された時間間隔でまたは事前に設定された位置において送信を断続的に送出するように割り当てられ得る。出荷人または出荷会社は、出荷および発送先の位置、あるいは航空、陸上または海上移送経路などの追加の出荷情報を割り当て、パッケージがどの飛行機、配送トラックおよびまたは配送エージェントに割り当てられるかなどの指定された出荷センターおよび方法を割り当てることができ、出荷経路、方法または配送エージェントの何らかの変更はアラートを自動的にトリガする。
【０１３７】
いくつかの実施形態では、ブロックチェーンに基づくスマート契約が、パッケージ差出人、パッケージ受取人、およびパッケージキャリア、またはこれらのエンティティの任意の組み合わせによって事前に合意され得る。一意のブロックチェーン識別コードが、個々のパッケージに、および任意選択でパッケージ内容物にも関連付けられてもよく、ネットワークを介した上記コードの送信をルールベースのシステムにおいて使用して、改ざんされていないパッケージの配送時にエスクローアカウントから資金を放出すること、あるいはパッケージが出荷されたときに在庫および／またはパッケージング材料を自動的に再注文すること、パッケージ内容物（例えば、食品）の損傷の通知など、様々な動作を自動的に作動させることができる。パッケージの経路の様々なポイント間の効率的で安全かつタイムリーな配送のための報酬として、フラクショナルブロックチェーントークンをグループ、企業、または個人に発行することもできる。同じ一般エリアまたは特定の位置に向かう異なるトラックまたは配送サービスからのパッケージを単一のトラックに統合して、相対的なパッケージ重量、サイズ、または特別な取り扱いニーズに基づいて異なるキャリア間でブロックチェーントークンが公平に共有される機会のときなど、異なる配送プラットフォーム上での様々なパッケージの移動のより効率的な調整のために、ブロックチェーン識別子を使用してもよい。ブロックチェーン識別子は、配送された製品の支払いが完了したら、インターネット経由でその作動を許可するために使用されてもよい。
【０１３８】
スマートパッケージはまた、近傍の人物に指示を提供するために、または他の目的のために、スピーカを備えてもよい。マイクロフォンと組み合わされたとき、これにより、出荷人、受取人、サービスプロバイダ、および他の利害関係者または許可された当事者間の音声通信が可能になり得る。
【０１３９】
本技術の実施形態によるスマートパッケージは、閉鎖可能なエンクロージャを備え、別個のクロージャまたはラベルを備えてもよい。エンクロージャは、パッキングボックス１２、封筒、バッグ１０４、１０８（図７Ａ〜Ｂ）、動物クレート３０４（図１６Ａ〜Ｂ）シリンダ、または閉鎖もしくは封止され得るいくつかの形状およびサイズのいずれか１つであってもよい。エンクロージャは、再利用可能であってもよい。エンクロージャは、段ボール、紙、木材、金属、プラスチック、またはこれらもしくは他の材料の混合で構成されてもよい。エンクロージャはまた、プラスチック、紙、または任意の他の好適な材料であり得る別個のコーティングまたはアタッチメントを備えてもよい。コーティングまたはアタッチメントは、エンクロージャへの保護を提供し得る。コーティングまたはアタッチメントはまた、電子機器およびセンサを含んでもよく、従来の「ダム」ボックスをカバーするかまたはそれに取り付けられて従来のボックスを「スマート」ボックスに変えるために使用されてもよい。
【０１４０】
いくつかの実施形態では、クロージャフラップ１４は、エンクロージャ１２に組み込まれたどんな種類のクロージャであってもよく、または別個のクロージャであってもよい。エンクロージャに組み込まれるクロージャの例は、接着ストリップ、ジッパー、ラッチ、またはクラスプを含むことができる。別個のクロージャは、プラスチック、紙、金属、または何らかの種類の接着テープであり得る。クロージャは、導電性材料から作製されてもよく、パッケージが開封、閉鎖、または封止されたときに認識される接触センサを組み込むことができ、また、パスワード、生体識別、ＲＦＩＤチップ、または他の検証方法（複数可）を用いてロックおよびロック解除され得る磁気、電子または機械ラッチなどのロック機構を含み得る。
【０１４１】
電子機器、電子機器の一部分、バッテリ、または複数のバッテリは、エンクロージャ、クロージャ、またはラベル内に完全に含まれてもよい。これらのアクティブ構成要素はまた、エンクロージャ、クロージャ、またはラベル間で分散されてもよい。いくつかの場合には、エンクロージャを閉じて封止すること、クロージャを固定してパッケージを封止すること、またはラベルを貼付することにより、電子回路は、電子機器が電源投入、初期化、構成、および動作するために、完成されるかまたは有効になり得る。バッテリ自体は、一般的なコインバッテリなどの交換可能バッテリ、広く平坦な（可撓性で扁平な）形状を有するバッテリ、またはエンクロージャを封止するために使用される接着テープでもある長く平坦なバッテリを含む、いくつかの形態を採ることができる。
【０１４２】
エンクロージャ１２、電子機器およびセンサユニット２０、接着テープ１１１、クロージャフラップ１４、ならびにラベルを含むラッピングは、クロージャを封止解除することによって、またはエンクロージャの表面内のスロットもしくは穴を切断することによって開かれているエンクロージャの検出を可能にするために、導電性回路、メッシュ、またはセンサネットワークを形成するための埋め込まれた導電性ワイヤ、ストリップ、または要素を備え得る。導電性要素は、厚いもしくは薄いワイヤ、導電性ストリップ、導電性表面、導電性インク、または任意の数の同様の方法を使用することによって形成され得る。エンクロージャ内の導電性要素は、同じく導電性であるかまたは導電性要素を有するクロージャによってエンクロージャの開口部において連結されてもよい。導電性要素を有するラベルを使用して、導電性回路を完成させてもよい。導電性要素は、抵抗性または容量性ネットワークを形成する。エンクロージャを開く、切断する、スライスする、破砕する、またはその中に穴を開けると、エンクロージャの抵抗値または容量値が変更され、スマートパッケージ電子機器によって検出される。これは、組み込まれたセンサによって検出され、ネットワークを介してＣＰＵによって改ざんまたは開封イベントまたはアラートとして報告される。
【０１４３】
電子機器およびバッテリは、エンクロージャ１２、クロージャフラップ１４、またはラベルの任意の内面または外面に固定されてもよい。それらはまた、エンクロージャ、クロージャ、またはラベルの層の間に埋め込まれてもよい。
【０１４４】
ネットワークモジュール３８０は、少なくとも１つのアンテナ、受信機、トランシーバ、送信機などを含むことができる。ネットワークモジュール３８０は、限定はしないがＢｌｕｅｔｏｏｔｈ（登録商標）、セルラ、ＮＦＣ、ＲＦＩＤ、およびＷｉ−Ｆｉ（登録商標）などの少なくとも１つのネットワークプロトコル、ならびに／あるいは限定はしないがメッシュ、アドホック、またはポイントツーポイントなどのネットワークトポロジをサポートするように構成されるかまたは構成可能であり得る。
【０１４５】
センサモジュール３８２は、ＧＰＳ、光検出器、１つ以上の導電性要素、動作検出器、カメラモジュール、静止カメラ、ビデオカメラ、温度センサ、湿度センサ、光センサ、画像センサ、加速度計、ジャイロスコープ、コンパス、高度計などの空間、動作、加速度、配向およびリレーショナルポジションセンサ、およびＧＰＳ、衛星、セルラ、Ｗｉ−Ｆｉ（登録商標）、Ｂｌｕｅｔｏｏｔｈ（登録商標）、ＮＦＣ、ＲＦＩＤ、ＩＲなどのワイヤレスおよび位置特定センサおよびシステム、ならびに／あるいは他のワイヤレス、光または光ファイバネットワーキングセンサおよびシステム、フライト送信機およびセンサ、光学センサおよび撮像センサ、加速度計、ジャイロスコープ、高度センサ、ならびに他の運き、配向および位置決めセンサ、空気圧、ガス、化学的または生物学的汚染物質センサなどを含むことできる。センサモジュールは、電子機器およびセンサユニット２０から遠隔であり、したがって、電子機器およびセンサユニット２０と通信することができることが理解され得る。
【０１４６】
ユーザインターフェース３９０は、少なくとも１つの入力手段、ビデオディスプレイ（例えば、液晶ディスプレイ（ＬＣＤ））、英数字入力デバイス（複数可）（例えば、キーボード）、カーソル制御デバイス（例えば、マウス）、音声認識または生体検証ユニット、ドライブユニット（ディスクドライブユニットとも称される）、信号生成デバイス（例えば、スピーカ）、ユニバーサルシリアルバス（ＵＳＢ）および／または他の周辺機器接続を含むことができる。他の実施形態では、電子機器およびセンサユニット２０は、データを暗号化するためのデータ暗号化モジュール（図示せず）をさらに含み得る。
【０１４７】
本技術の実施形態を組み込んだスマートパッケージ１２を使用して商品を出荷するために、以下の手順が使用され得る。使用中は、出荷される商品はエンクロージャ内に入れられる。エンクロージャは、エンクロージャに組み込まれたクロージャ、別個のエンクロージャ、または別個のエンクロージャとラベルとの組み合わせのいずれかを使用して閉じられ、封止される。いくつかの場合には、ラベルは、エンクロージャまたはクロージャの一部であり得る。
【０１４８】
その後、電子機器が有効化、初期化、および構成される。これは、様々な手段によって起こり得る。電子機器は、クロージャおよびエンクロージャが導電性回路を形成する際にスマートパッケージを封止するときに自動的に有効化されてもよい。電子機器は、リンクを切断すること、リンクを切ること、またはバッテリ回路内のタブを取り外すことによって有効化されてもよい。電子機器は、ラベルを磁場またはスキャナの近くに置くことによって自動的に有効化されてもよい。
【０１４９】
電源が有効化されると、電子機器ＣＰＵは、配送のパラメータを用いて構成される。いくつかの実施形態では、ＣＰＵおよび電子機器は、自己構成し、ネットワークに接続し、任意の関連する更新をダウンロードする。それは、その位置を判定する。次に、それは、パッケージの内容物、発送元、発送先などの情報を用いて構成される。パッケージがとることを予想される経路が構成内に含まれてもよい。また、契約されたサービスレベルが構成されてもよい。これは、スマートパッケージ内に埋め込まれたセンサによってサポートされ、かつ出荷人または受取人の同意有りでまたは無しでサービスプロバイダによって定義される、トリップの期間、温度、湿度、経験される最大降下力、配向、および任意の数の他のパラメータに関する許容パラメータを含んでもよい。バッテリは、全行程の期間にわたってスマートパッケージ電子機器に電力供給するのに十分でなければならず、または出荷中に定期的にワイヤレスに再充電され得る。出荷時に既知のパラメータに対してセンサの正しい動作を検証および検査してもよい。
【０１５０】
パッケージが出荷されている間、それは、そのポジション、セキュリティパラメータ、および環境パラメータを定期的に報告するように構成されてもよい。また、遵守が輸送中に検証されてもよい。アラートが生成または記録されてもよい。出荷人、受取人、または出荷会社はまた、パッケージがネットワーク接続性を有する任意の時間において最新の情報についてパッケージを照会し得る。さもなければ、最新の情報または履歴情報が使用され得る。パッケージが誤配置、遅延、改ざん、または誤配送された場合、パッケージはこれを検出し、アラートを送ることによって関係者に報告することができる。アラートは、電子メール、ＳＭＳ、自動通話、または様々なメッセージングアプリケーションのうちの１つを含む、様々な方法で実行できる。可能なアラートの例は、パッケージが飛行機に乗せられた、または降ろされたとき、動作または加速イベントが閾値を超えたとき、パッケージが受領されたとき、およびＧＰＳ示度が、パッケージが指定された位置に到着したことを示すときなどである。
【０１５１】
配送の時間において、パッケージは、その位置を、パッケージがそれを用いて構成された発送先構成と一致させ、２つの位置が互いに近傍内にあることを検証することができる。輸送中に、スマートパッケージ構成が更新されてもよい。例えば、輸送中に再経路指定されたパッケージの場合、発送先位置は、ワイヤレスネットワークを介してスマートパッケージ内で更新されてもよい。構成情報はまた、配送直前に更新されてもよい。スマートパッケージは、配送契約の制限を強制するために使用されてもよい。例えば、ユーザインターフェースおよびスマートラベル上のディスプレイは、指示を提供し、署名、支払い、またはＮＦＣタグもしくはフォブなどの他の形態の識別を受信することができる。
【０１５２】
スマートパッケージは、アラームをトリガせずにそれを開くためにパスワード、ＰＩＮ、またはパスコードを要求するように構成することができる。アラームは、スピーカを使用して可聴であっても、アイコンのテキストを表示することによって可視であっても、または組み込まれたディスプレイ上で点滅してもよい。アラームはまた、ライトを使用してもよく、または無音であってもよい。これらの場合のいずれにおいても、アラートを外部デバイスまたはサーバにワイヤレス送信し得る。スマートラベルはまた、指紋または顔識別などの生体入力を受け入れて、受取人、差出人、または配送人の識別情報を検証することができる場合もある。スマートパッケージは、様々な単純または複雑な基準に基づいて配送済みと見なされるように構成することができる。いくつかの場合には、この基準は単に位置であってもよく、他の場合には、それはパッケージを受け取る人物である。他の場合には、それは、受取人と、パッケージを受け取るために認証する証人の両方であり得る。また、指定された人々の総数の何らかのサブセットがそれを受け取ることを許可されている、複数の可能な受け取る人々を指定することも可能である。
【０１５３】
許可された人物によってまたは許可された位置においてスマートパッケージが受け取られると、電子機器は、電源を切られるか、無効にされるか、またはスリープモードになり得る。いくつかの実施形態では、パッケージングは再利用されてもよい。スマートパッケージの再利用可能な部分は、エンクロージャ、ラベル、クロージャ、またはこれらの３つの任意の組み合わせであり得る。
【０１５４】
本技術のいくつかの実施形態は、スマートパッケージが配送されたことが示された後であっても、許可された人物がスマートパッケージを追跡することを可能にする。これは、受取人がスマートパッケージの電子機器モジュールを無効にすることを可能にすることのみによって、またはリモートコマンドが電子機器を再有効にすることを可能にすることによって行われ得る。
【０１５５】
本開示の特定の実装形態および適用例を例示および説明してきたが、本開示は、本明細書に開示される厳密な構造および組成物に限定されず、様々な改変、変更、および変形形態は、添付の特許請求の範囲において定義される本技術の趣旨および範囲から逸脱することなく、前述の説明から明らかであり得ることを理解されたい。
【０１５６】
説明の目的で、本開示の完全な理解を提供するために、多数の特定の詳細が記載されている。しかしながら、これらの特定の詳細を伴わずに本開示を実施し得ることは、当業者には明らかであろう。他の事例では、構造およびデバイスは、本開示を曖昧にすることを回避するためにのみ、ブロック図形式で示されている。
【０１５７】
本明細書全体を通して、「一実施形態」または「実施形態」への言及は、実施形態に関連して説明される特定の特徴、構造、または特性が、本技術の少なくとも１つの実施形態に含まれることを意味する。したがって、本明細書全体を通じて、様々な場所における「一実施形態では」または「実施形態では」または「一実施形態によれば」という句（または同様の意味を有する他の句）の出現は、必ずしもすべて同じ実施形態を指すとは限らない。さらに、特定の特徴、構造、または特性は、１つ以上の実施形態において任意の好適な方法で組み合わされ得る。さらに、本明細書での議論の文脈に応じて、単数の用語は、その複数形を含み得、複数の用語は、その単数形を含み得る。同様に、ハイフンでつながれた用語（例えば、「ｏｎ−ｄｅｍａｎｄ」）は、そのハイフンでつながれていないバージョン（例えば、「ｏｎ  ｄｅｍａｎｄ」）または組み合わされたバージョン（例えば、「ｏｎｄｅｍａｎｄ」）と交換可能に使用される場合が時々あり、大文字で書かれた項目（例えば、「Ｓｏｆｔｗａｒｅ」）は、その大文字で書かれていないバージョン（例えば、「ｓｏｆｔｗａｒｅ」）と交換可能に使用され得、複数の用語は、アポストロフィ（例えば、ｐａｃｋａｇｅ’ｓまたはｐａｃｋａｇｅｓ）を用いてまたは用いないで示され得る。そのような時々の交換可能な使用は、互いに矛盾しているとは見なされないものとする。
【０１５８】
加えて、いくつかの実施形態は、タスクまたはタスクのセットを実行する「ための手段」の観点から説明され得る。「ための手段」は、本明細書では、プロセッサ、メモリ、カメラなどのＩ／Ｏデバイス、またはそれらの組み合わせなどの構造の観点から表され得ることが理解されるであろう。あるいは、「ための手段」は、機能または方法ステップを記述するアルゴリズムを含み得る一方で、また他の実施形態では、「ための手段」は、数式、文章に関して、またはフローチャートもしくは信号図として表される。
【０１５９】
本明細書で使用される用語は、特定の実施形態を記載する目的のためにすぎず、本技術を限定することを意図していない。本明細書で使用されるとき、単数形「ａ」、「ａｎ」および「ｔｈｅ」は、文脈からそうでないことが明示されない限り、複数形も含むことを意図している。「備える」および／または「備えている」という用語は、本明細書で使用されるとき、述べられた特徴、整数、ステップ、動作、要素、および／または構成要素の存在を指定するが、１つ以上の他の特徴、整数、ステップ、動作、要素、構成要素、および／またはそれらのグループの存在または追加を排除しないことがさらに理解されよう。
【０１６０】
最初に、「結合された」、「接続された」、「接続している」、「電気的に接続された」などの用語は、本明細書では、電気的／電子的に接続されている状態を概して指すために交換可能に使用されることに留意されたい。同様に、第１のエンティティは、第１のエンティティが（データ情報を含むか非データ／制御情報を含むかにかかわらず）情報信号を（有線手段を介するかワイヤレス手段を介するかにかかわらず）第２のエンティティに電気的に送るおよび／または受信するとき、それらの信号の種類（アナログまたはデジタル）に関係なく、第２のエンティティ（複数可）と「通信」していると見なされる。本明細書で図示および議論される（構成要素図を含む）様々な図は、例示の目的のためにすぎず、一定の縮尺で描かれていないことにさらに留意されたい。
【０１６１】
当業者であれば、ネットワークまたはインターネットサービスは、インターネットサービスに結合された１つ以上のコンピューティングデバイスにインターネットアクセスを提供するように構成されてもよく、コンピューティングデバイスは、１つ以上のプロセッサ、バス、メモリデバイス、ディスプレイデバイス、入出力デバイスなどを含んでもよいことを認識するであろう。さらに、当業者であれば、インターネットサービスは、本明細書に記載される本開示の実施形態のいずれかを実装するために利用され得る１つ以上のデータベース、リポジトリ、サーバなどに結合されてもよいことを理解するであろう。
【０１６２】
以下の特許請求の範囲におけるすべての手段またはステッププラスファンクション要素の対応する構造、材料、作用、および等価物は、特に特許請求されるように他の特許請求される要素と組み合わせて機能を実行するための任意の構造、材料、または作用を含むことを意図されている。本技術の説明は、例示および説明のために提示されているが、網羅的であること、または開示された形態の本技術に限定されることを意図されていない。多くの改変および変形形態は、本技術の範囲および趣旨から逸脱することなく当業者に明らかであろう。例示的な実施形態は、本技術の原理およびその実際的適用を最もよく説明し、他の当業者が、企図される特定の用途に適した様々な改変を伴う様々な実施形態について本技術を理解することを可能にするために選択され、説明された。本技術の態様は、本技術の実施形態による方法、装置（システム）およびコンピュータプログラム製品のフローチャート図および／またはブロック図を参照して上述された。フローチャート図および／またはブロック図の各ブロック、ならびにフローチャート図および／またはブロック図内のブロックの組み合わせは、コンピュータプログラム命令によって実装され得ることが理解されるであろう。これらのコンピュータプログラム命令は、汎用コンピュータ、専用コンピュータ、または他のプログラム可能なデータ処理装置のプロセッサに提供されて機械が製作されてもよく、その結果、コンピュータまたは他のプログラム可能なデータ処理装置のプロセッサを介して実行する命令は、フローチャートおよび／またはブロック図のブロック（複数可）において指定される機能／行為を実装するための手段を作成する。
【０１６３】
これらのコンピュータプログラム命令はまた、コンピュータ、他のプログラム可能なデータ処理装置、または他のデバイスに特定の様式で機能するように指示することができるコンピュータ可読媒体に記憶されてもよく、その結果、コンピュータ可読媒体に記憶された命令は、フローチャートおよび／またはブロック図のブロック（複数可）において指定される機能／行為を実装する命令を含む製造物品を生成する。
【０１６４】
コンピュータプログラム命令はまた、コンピュータ、他のプログラム可能なデータ処理装置、または他のデバイス上にロードされて、コンピュータ、他のプログラム可能な装置または他のデバイス上で一連の動作ステップが実行させられて、コンピュータまたは他のプログラム可能な装置上で実行される命令が、フローチャートおよび／またはブロック図のブロック（複数可）において指定される機能／行為を実装するためのプロセスを提供するような、コンピュータで実装されるプロセスを生成してもよい。
【０１６５】
本技術は、ワイヤレスネットワークのアレイを介して分散型スマートパッケージの動作、ネットワーキングおよびセキュリティシステムと調整することが可能な、接続された、封入された、埋め込まれたまたはネットワーキングされたセンサ、プロセッサ、バッテリおよびネットワーキングシステムを用いた、クリップ、ラベル、タグ、テープ、バッグ、ボックスおよび他のデバイスなどのパッケージコンピューティング、追跡、監視およびピアツーピアネットワーキングデバイスの複数の実施形態を導入することができる。
【０１６６】
本技術の実施形態は、限定はしないが、以下のような様々なネットワークカテゴリの技術から構成されてもよい。
【０１６７】
低電力ワイヤレス
排他はしないが、Ｂｌｕｅｔｏｏｔｈ（登録商標）、Ｂｌｕｅｔｏｏｔｈ  Ｌｏｗ  Ｅｎｅｒｇｙ（ＢＬＥ）、無線周波数（ＲＦ）、ＡＮＴ、ＳｉｇＦｏｘ、ＺｉｇＢｅｅ、ＮＢＩｏＴ、ＲＦ４ＣＥ、ＲＦＩＤなど、低電力ワイヤレス技術を介した比較的低い帯域幅の時々オンの送信。これらの技術の多くは、スター、メッシュおよびピアツーピアのトポロジ、または上記のいずれかのハイブリッドの組み合わせをサポートしている。
【０１６８】
位置およびナビゲーション
小型電子受信機が、衛星からの無線によって見通し線に沿って送信される時間信号を使用して位置（経度、緯度および高度／標高）を高精度に判定することを可能にする、米国のグローバルポジショニングシステム（ＧＰＳ）、ロシアのＧＬＯＮＡＳＳ、欧州連合のガリレオおよび中国の北斗衛星導航系統（ＢＤＳ）などの超低帯域衛星ナビゲーションまたはサトナブおよびグローバルナビゲーションサテライトシステム（ＧＮＳＳ）。位置はまた、ローミング信号を発射することによって、ワイドエリアネットワークの２つ以上の固定セルタワーアンテナマストから受信された無線信号の到着時間（ＴＯＡ）を使用して、近くのアンテナマストに対するセルラネットワークデバイスの信号強度を計算することによって、モバイル通信用グローバルシステム（ＧＳＭ）を使用して計算されてもよく、また、モバイルワイヤレスネットワークデバイスの座標を開示するロケーションベースサービス（ＬＢＳ）を含んでもよい。モバイルデバイスの位置およびリレーショナルポジションデータを取得するための別の方法は、独立して、またはアシスト型ＧＰＳ（ａＧＰＳ）、ＧＳＭ、ロケーションベースサービス（ＬＢＳ）などのＧＮＳＳシステムと連携して動作し得るピアツーピア（Ｐ２Ｐ）位置決めシステムを使用することである。ピアツーピア（Ｐ２Ｐ）ポジショニングにより、２つ以上のモバイルデバイスは、比較的低い帯域幅（低電力ワイヤレスネットワーク）、パーソナルエリアネットワーク、ならびにわずかに高電力および／または常時オンの送信ワイヤレスローカルエリアネットワーク（ＬＡＮ）を使用して、互いにおよび／または１つ以上の固定ポジションのＬＡＮホットスポット、ルータもしくはセルタワーと直接ネットワーキングおよび通信することと、到着時間（ＴＯＡ）、信号強度、信号方向および／または三角測量を使用して、互いおよび固定位置に対するリレーショナルポジションおよび距離を識別する各Ｐ２Ｐネットワークキングデバイスによって位置を計算することとが可能になる。
【０１６９】
ワイヤレスＬＡＮ
スマートパッケージネットワーキングデバイスおよびハブを含み得るが、また、限定はしないが、車、バンおよびトラック、飛行機、船舶および宇宙船を含むネットワーキングされた車両、ならびに携帯電話、タブレット、ラップトップ、ＰＣおよび他のマルチメディア通信デバイスなどのデバイスなどのサードパーティのデバイスおよびハブをも組み込み得る、ローカルデバイスへのわずかに高電力の常時オンの送信。ＷｉＦｉ８０２．１１、ＷｉＦｉ  Ｄｉｒｅｃｔ接続、ＷｉＦｉ  Ｐ２Ｐなどのワールドワイドネットワーキングプロトコルを使用する。
【０１７０】
ワイヤレスブロードバンド
インターネットおよび／または他のクラウドプラットフォームへのアップリンクを提供し、かつ２Ｇ、３Ｇ、４Ｇ、５Ｇ上のＧＳＭ、ＵＭＴＳ、ＬＴＥ、ＣＤＭＡ、ＷｉＭＡＸおよび通信衛星ネットワークなどの高帯域幅セルラネットワーキング技術、ならびに他の中〜高帯域幅ワイヤレス技術および／またはネットワークを使用して、１つ以上の低電力ワイヤレス、パーソナル、メトロおよび／またはローカルエリアネットワーク（ＬＡＮ）からインターネットに信号を経路指定する、高電力、高速固定、モバイルおよび衛星ワイヤレスワイドエリアネットワークならびにネットワーキングおよび通信デバイス。
【０１７１】
ワイヤードネットワーク
１つ以上の低電力ワイヤレス、パーソナルおよび／またはローカルエリアネットワーク（ＬＡＮ）とインターネットおよび／または他のクラウドプラットフォームとの間で信号をインターフェースまたは経路指定するために、ワイヤレスネットワーキングパッケージおよびパッケージングシステムにアップリンクが必要とされる場合、ワイヤレスネットワーキングパッケージは、ＤＳＬ、ケーブル、ファイバ、電力線経由ブロードバンドなどの技術または他のワイヤード技術およびネットワークを使用してワイヤード経路指定デバイスまたはシステムとネットワーキングする。
【０１７２】
本技術の例示的な実施形態によって提供される機能性は、例えば、以下を含み得る。
セルラ、ＲＦおよび／または直接ピアツーピアワイヤレスメッシュネットワークを介した双方向およびマルチフィード音声、データ、およびオーディオビデオ通信、
様々なモバイルデバイスオペレーティングシステムとの構成および相互運用性が可能なユビキタスな仮想マシンモニタ、
広範囲のネットワーキングデバイスに対してスケーラブルなモジュラデバイス管理システムおよびアドホックネットワーキングプラットフォーム、
グループ化デバイスインテリジェンス、調整されたタスク管理ならびにデータ、電力、およびネットワーク最適化のためのプラットフォーム、
動的メッシュ通信、および統一、連合、管理されたスケーラブルなネットワーク構成のリアルタイム調整、
複数のワイヤレスプロトコルおよびネットワークを介した動的でセキュアなデータチャネリング、
ブロックチェーンネットワーキングおよびピアツーピアパッケージ、デバイス、車両、宅配業者または他のネットワーキングされた人物、システムまたはネットワークの識別、検証およびセキュアなデータ処理、ストレージ、ストリーミング、ネットワーキング、およびトランザクション
完全なシステム全体の能力ベースのセキュリティ設定、
継続的なリアルタイムのパッケージ自己追跡、自己報告、識別および検証、リモートデバイス操作、データ処理、管理、ネットワーク選択、通信およびセキュリティのための完全なシステム自動化、あるいは
動的ハードウェアおよびソフトウェアの構成可能性。
【０１７３】
本技術は、任意の利用可能なワイド、メトロ、ローカル、およびパーソナルエリアネットワークを介した、任意のネットワーキングされたデバイスまたはデバイスのグループとのワイヤレスパッケージネットワーキングおよびピアツーピア通信を可能にし得、リアルタイムマルチフィード、マルチチャネルデータネットワーキング、オーディオビデオストリーミング、通信、センサ監視、メッシュネットワーキング、ならびに調整されたデバイス動作、データ、電力およびネットワーク管理およびリモートシステム制御をサポートし得る。
【０１７４】
本技術の実施形態は、様々なパッケージングデバイスおよびネットワークトポロジ内で動作しながら、デュプレックス指向性データおよびマルチメディアネットワーキング、電力最適化、動的デバイス構成、通信、およびデータ管理などの能力を包含するモジュラデータ管理およびパッケージネットワーキングシステムを含んでもよい。本技術は、パッケージの自己追跡、自己報告、個々およびグループのパッケージ識別の自動化、検証、センサ監視、データ管理、データストレージ、データチャネリング、データネットワーキング、ピアツーピアネットワーキングおよびネットワーク選択、ペアリング、グループ化および／またはネットワーキングされたデバイスの最適化、リモートシステム制御ならびにリアルタイムパッケージインターフェーシングおよびアラートのための機能モデルとして働き得る。
【０１７５】
モジュラデバイス管理
本技術の実施形態は、限定はしないが、パッケージ、パッケージコンテナまたは他のパッケージング材料に取り付けられるか、それらの内部に取り付けられるか、またはそれらの中に埋め込まれ得る、コンピューティングおよび／またはネットワーキングパッケージクリップ、ラベル、タグ、テープ、ボックス、バッグ、または他のパッケージ追跡、ネットワーキングおよびコンピューティングデバイスなどを含んでもよく、携帯電話、タブレット、ＰＣ、車両およびネットワーキングステーションなどの外部ネットワーキングデバイスは、ノードおよびハブに編成される。ノードは、オンボードデータストレージおよびデータ処理能力がほとんどまたは全くないトランスデューサと見なされ得る。パッケージノードは、ＲＦＩＤタグなどのデータを送信することに限定され得るか、またはデータを受信および送信することが可能であり得、他のパッケージおよびデバイスから受信された送信データをパッケージハブに渡すためのピアツーピアネットワーキング中継ステーションとして使用され得る。ノードは、１つ以上のパッケージセンサのための送信機として働き得、リアルタイムのパッケージ位置データ、動作、温度、および他のパッケージセンサデータを、データストレージ、処理、チャネリング、およびインターネットへのアップロードのためにパッケージハブに送信することが可能であり得る。
【０１７６】
パッケージハブは、ワイヤードまたはワイヤレスローカルまたはワイドエリアネットワーク（ＷＡＮ）を介して周囲のパッケージノードからインターネットに個人データおよびＬＡＮデータをアップロードするための、データネットワーキング、処理、識別およびストレージシステム、ならびに／またはワイヤードもしくはワイヤレスアップリンクとして働くネットワーキングおよびコンピューティングデバイスまたはプラットフォームと見なされ得る。パッケージハブは、オンボードデータ処理、ストレージおよびネットワーキング能力を有するスタンドアロンコンピューティングデバイスであってもよいか、あるいはワイヤレスホットスポット、ワイヤレスアクセスポイント、ワイヤレスルータ、およびインターネットまたは他のクラウドプラットフォームへのワイヤードまたはワイヤレスのデータアップリンクなどのネットワーキング専用デバイスであってもよい。
【０１７７】
パッケージネットワーキングおよびコンピューティングハブは、コンピューティングハブと見なされ得、コンピューティングハブは、パッケージ、パッケージコンテナまたは他のパッケージング材料に取り付けられるか、それらの内部に取り付けられるか、またはそれらの中に埋め込まれるコンピューティングデバイスであり得るか、あるいは外部デバイス、車両またはネットワーキングステーションであり得る。コンピューティングハブは、割り当てられたパッケージ、パッケージの内容物、周囲および出荷イベントを追跡および監視し、かつキャプチャされた位置およびセンサデータを他のネットワークキングパッケージおよびインターネットに対してネットワーキングするために、データプロセッサ、データストレージドライブ、バッテリまたは他の電力ストレージおよび／または電源、無線送信機および受信機、ならびに限定はしないが加速度計、ジャイロスコープ、高度計、温度、湿度、光および／または光学センサなどの１つ以上のセンサ、カメラ、マイクロフォンおよび／またはスピーカのうちの１つ以上を組み込むことができる、スマートクリップ、ラベル、テープ、タグ、ボックス、バッグまたは他のパッケージング材料あるいはパッケージ追跡、ネットワーキングおよびコンピューティングデバイスなどの個々のパッケージに割り当てられ得る。コンピューティングハブは、割り当てられたパッケージおよび周囲のネットワーキングパッケージに対してワイヤレスインターネットアクセスを提供することができるモバイルインターネットデバイス（ＭＩＤ）であってもよいか、あるいはワイヤードもしくはワイヤレスのアップリンクデバイスもしくはルータが利用可能であるときにはいつでも、他のネットワーキングパッケージ、パッケージング材料、デバイス、コンテナおよび車両とワイヤレスネットワーキングし、インターネットまたは他の割り当てられたクラウドプラットフォームにアップロードするためのデータを識別、検証、処理および記憶することができるＬＡＮデバイスであってもよい。
【０１７８】
パッケージネットワーキングおよびコンピューティングハブ（コンピューティングハブ）はまた、ペット位置追跡器、心拍数モニタまたは他の生体センサ、食品および／または水分配器あるいは内部パッケージ加熱または冷却ユニットなどのパッケージ内の製品、センサ、ペット、および腐敗しやすい品目に対するネットワーキング、インターフェーシングおよび／または制御のためのコマンドセンターとして働き得る。ならびに、特定の温度を維持するために移送車両の加熱もしくは冷却システムと接続すること、あるいは輸送中にパッケージの内容物が改変または損傷された場合に、リアルタイムの音声および／またはビデオ通信、オーディオおよび／またはビデオメッセージのためにオンボードパッケージスピーカおよび／またはディスプレイを使用して宅配業者にアラートすること、あるいは許可されていない宅配業者または受取当事者によってパッケージが受領または開封された場合のアラーム、ならびに、パッケージが紛失もしくは盗難された場合、またはパッケージセンサが、パッケージの内容物および／もしくはネットワーキングされたもしくは近隣のパッケージが危険、不安定もしくは違法な物質、商品、家畜、人々、デバイスおよび他の機器および／もしくは材料を含むことを検出した場合に、出荷会社、差出および受取当事者、他の許可されたユーザおよび／または現地当局にワイヤレスに連絡およびアラートすることなど、外部デバイス、車両、システムおよび／または人々とインターフェースする。
【０１７９】
本技術は、モバイルアドホック、ピアツーピアのメッシュネットワーキング、動的ネットワーク構成、ピアツーピアのワイヤレスパッケージ識別、ならびに任意のワイヤードまたはワイヤレスネットワークを介したセキュアなデータ転送、チャネリング、および通信のためのユビキタスなスケーラブルプラットフォームを含み得る。本技術は、ローカルデバイスレベル上で埋め込まれたソフトウェアとして、または本技術を利用するデバイス、ネットワーキングデバイス、車両もしくは他のコンピューティングおよびネットワーキングステーション内のダウンロード可能なソフトウェアアプリケーションとして、ならびに／あるいはリモートで、インターネットおよび／またはクラウドプラットフォームのリモートパッケージ、リモートパッケージ、パッケージング材料、パッケージ内容物、製品、人員、車両およびネットワーキングデバイス操作、ネットワーキング、通信、制御、追跡、監視、センサ監視、データ管理、処理、分析、出荷、物流、トランザクションおよびセキュリティのシステムとして動作し得る。
【０１８０】
本技術は、限定はしないが、以下の動作セグメントに編成され得る。
【０１８１】
１．プラットフォーム
様々なデバイスおよびネットワークトポロジ内で動作しながら、デュプレックス指向性マルチメディアネットワーキング、電力最適化、動的構成、通信、およびデータ管理などの能力を包含するモジュラデバイスおよびデータ管理システム。本技術は、デバイスの自動化、モジュラシステムおよびデータ管理、データチャネリング、ペアリング、グループ化および／またはネットワーキングされたデバイスの最適化およびリモートシステム制御のための機能モデルであってもよく、本技術を利用するデバイス上の埋め込まれた環境内で、および／または限定はしないが、携帯電話もしくは車両など、本技術を利用するデバイスもしくはネットワーキングデバイス上のダウンロード可能なソフトウェアアプリケーションとして、ならびに／あるいは本技術が新しいタスクとネットワーキングおよびインターフェースすることを許可され、リモートで操作され、新しいタスクを動的にダウンロード、アップロード、インストールおよび実行し得る、リモートインターネットまたは他のクラウドベースのオペレーティングシステムとして動作する能力と、タスク実行をローカルおよび／またはリモートで制御する能力とを有する。
【０１８２】
２．デバイス
多くのバッテリ駆動電子デバイスは、バッテリ寿命を延ばすために、ある時間期間後に一度にほとんどの構成要素をシャットダウンすることに限定された電力管理システムを有する。本技術は、構成要素特性、電力使用履歴、最後に使用されてからの時間、利用可能なデータストレージ、利用可能なセンサ、利用可能なネットワーク、ネットワークトポロジ、およびプリファレンス、ならびにネットワークの種類、帯域幅、接続、ネットワーク地理（位置および距離）優先度設定、セキュリティレベル、およびペアリングまたはネットワーキングされたデバイスの数、ならびにすべてのネットワーキングされたデバイスの特性、ネットワーキングされたデータの種類、サイズ、ネットワーキングされたデータの必要な帯域幅および優先度などのすべてのネットワーキング特性などの要因に基づいて、本技術のすべてのローカルのおよびネットワーキングされたパッケージハブデバイスシステム、構成要素およびアプリケーションの電力使用を常に監視、管理および最適化することによって、デバイス、電力、データ、ネットワークおよびセキュリティ管理機能を動的に実行するように構成されるかまたは構成可能であり得る。本技術のパッケージハブデバイスでは、オンボードプロセッサ（ＣＰＵ）コアおよび計算速度、データストレージ、ランダムアクセスメモリ（ＲＡＭ）、無線送信機、受信機、センサおよび他の構成要素などのサブシステムは、モジュールスタックにグループ化され、例えば、すべてのコンピュータ処理システムは、構成要素もしくは機能によって個々のモジュールスタックに編成されてもよいか、またはシステムによって１つのモジュールスタックにグループ化されてもよく、例えば、すべての電力管理、ストレージおよび充電システム、センサおよび構成要素は、別のモジュールスタックにグループ化されてもよく、すべてのネットワーキングおよび通信システム、送信機、受信機センサおよび構成要素は、別のモジュールスタックにグループ化され、発光体、光センサ、カメラ、マイクロフォンおよびスピーカなどのすべてのオーディオビデオセンサ、構成要素およびシステムは、別のモジュールスタック（複数可）にグループ化されてもよく、主要プロセスのために生成されてもよく、すべての関係するシステム、例えば、本技術のデバイスロケーションシステム、本技術のデバイス動作、配向、高度および関係する空間ポジショニングシステムおよび追加のセンサ、例えば、温度、湿度、圧力、化学的、生物医学的、放射または他の環境センサ、およびネットワーキングされたセンサ、例えば、出荷されたペットもしくは他の家畜上の、または割り当てられたパッケージ宅配業者および／もしくは配送人員によって着用される、心拍数または他の生体監視およびまたはセキュリティセンサは、追加のモジュールスタックに編成されてもよい。これらのモジュールおよびモジュールスタックは、すべてのスタンドアロンおよびネットワーキングされた本技術のデバイス、システムおよびネットワーク、ならびにすべての本技術のノードおよびハブ上でローカルおよびグローバルに認識され得る。
【０１８３】
２．１グループデバイスのネットワーキングおよび調整
２つ以上の自律的な本技術対応デバイスが、ワイヤードおよびワイヤレスプロトコルならびにネットワークトポロジの任意の組み合わせにわたって統一、連合、管理、または調整されたグループとして参加または接続するとき、自律的デバイスの各々のモジュールスタック（ＭＳ）は、他の本技術デバイスのモジュールスタックを含むように拡張し、したがって、グループ化されたデバイスの各々によってミラーリングされる単一の集合的な本技術のグループ化されたモジュールスタック（ＧＭＳ）を生成することが理解され得る。
【０１８４】
ＧＭＳでは、各本技術デバイスの個々のモジュールスタックは、ネットワーキングされた本技術デバイスグループ内のすべてのネットワーキングされた本技術デバイスのモジュールスタックならびにモジュールスタックのすべての関係する構成要素、システム、およびアプリケーションを承認し、採用する。ＧＭＳは、すべてのリモートモジュールスタックおよび関係する構成要素の仮想の実施形態であってもよい。ＧＭＳが生成されると、各個々のデバイスモジュールスタックは、次いで、デバイスの集合グループに対するシステムの優先順位、タスク、および責任の最も効率的な分布を独立して計算する。最も速い処理速度および／または最大のオンボードデータストレージを有するデバイス（複数可）は、データの最も迅速な更新、識別、検証およびストレージを保証するために、プライマリまたはリードデバイス（複数可）として動的に選択される。本技術デバイス、およびあるいは、インターネットまたは他のクラウドプラットフォームへの利用可能なワイヤードまたはワイヤレスのネットワークアップリンクの帯域幅が最も高く、電力供給が最も大きいデバイスは、本技術デバイスグループのアップリンクとして割り当てることができる。
本技術デバイスグループ内の２つ以上の本技術デバイスが、同様のワイヤードまたはワイヤレスネットワーキング特性および利用可能性を共有するとき、データネットワーキングは、２つ以上のデバイスによって割り当てられ、共有され得る。すべてのグループ化されたデバイスの平均ネットワーキング速度に基づいて、ＧＭＳのための標準リフレッシュレートを選択することもできる。既存のリード本技術デバイスがグループから接続解除された場合、新しいリード本技術デバイスを自動的に選択することができる。個々のパッケージに割り当てられたワイドエリアネットワーキング能力を有するバッテリ駆動パッケージハブデバイスはまた、他のネットワーキングされたパッケージのためにインターネットまたは他のクラウドプラットフォームへのスケジュールされた（時々オンの）ワイヤレスアップリンクとしても機能し得るが、本技術デバイスまたはデバイスグループは、利用可能な場合はいつでも、プライマリネットワークハブとしてインターネットおよび／または他のクラウドプラットフォームへの常時オンのワイヤードまたはワイヤレスネットワーキングアップリンクを選択する。
【０１８５】
本技術デバイスグループは、本技術対応ネットワーキングデバイスと本技術非対応ネットワーキングデバイスの両方を含み得る。例えば、本技術対応パッケージハブデバイスは、より限定された動作および／またはネットワーキング能力を有し、かつ他のワイヤレスネットワーキングパッケージングデバイス、携帯電話、ＰＣ、車両または他のワイヤードもしくはワイヤレスネットワーキングハブなどの本技術を用いて動作しない１つ以上の本技術非対応デバイスとネットワーキングしてもよい。本技術ソフトウェアをインストールまたはダウンロードすることなく、本技術非対応パッケージングデバイスは、パッケージハブが、リアルタイムのパッケージ識別、検証、ピアツーピアネットワーキングもしくは他の本技術機能、またはネットワーキングデータの優先順位付けをほとんどまたは全く有しないネットワーキングされた本技術非対応デバイスからインターネットへのスケジュールされたアップロードのためのデータを受信および記憶し得るパッケージノードとして識別されることに限定され得る。ワイヤードもしくはワイヤレスネットワーキングデバイス、車両ホットスポット、または他のワイヤレスルータなどの本技術非対応ネットワーキングハブの場合、本技術デバイスは、本技術デバイスグループ内の１つ以上のネットワーキングされた本技術デバイスのためのインターネットまたは他のクラウドプラットフォームへの基本的なアップリンクとしてネットワーキングハブを認識し、ネットワーキングハブに接続し得、すべての動作、処理、およびピアツーピアのネットワーキング機能は、本技術デバイスグループ内の１つ以上の本技術パッケージハブによって管理される。
【０１８６】
３．データ
各モジュールによって収集および管理されるすべてのデータは、すべてのモジュールおよび他のモジュールと調整されたデータと共に独立したチャネルとして動作することができ、他のモジュールデータとグループ化され、単一のワイヤードもしくはワイヤレスネットワークを介して集合的に送出されるか、または複数の利用可能なネットワーク上で一意のデータチャネルを介して独立してブロードキャストされるかのいずれかであり得る。このモデルを使用して、低電力ネットワークおよび／またはパーソナルエリアネットワーク専用デバイスは、２つ以上の本技術デバイスとの間でデータストリームを中継する、１つ以上の低電力、パーソナル、ＬＡＮおよびＷＡＮ対応デバイス、ホットスポットおよび／またはワイヤレスルータとのメッシュネットワーキングによってＬＡＮまたはＷＡＮ専用デバイスと通信し得る。本技術デバイスによって送信または受信されるデータは、センサアラート（複数可）の種類に基づいて優先度レベルを割り当てられ得、より高い優先度レベルのデータが最初にストリーミングまたはアップロードされる。例えば、スケジュールされたアップロードを有するＷＡＮ対応バッテリ駆動パッケージハブが、デバイスグループ内の別のネットワーキングデバイスから高い優先度のアラートを受信したとき、パッケージハブは、可能であれば、インターネットにスケジュールされていないデータをアップロードしてもよく、ならびに／あるいはインターネットもしくは他のクラウドプラットフォームへのリアルタイムデータアップロードおよび／もしくはストリーミングのために、または設定およびネットワーク利用可能性に基づいて、ＬＡＮを介して別のネットワーキングされたワイヤードもしくはワイヤレスアップリンクデバイスに高い優先度のデータを転送し、ＳＭＳテキストメッセージアラートを送るか、または１つ以上の割り当てられたリモート監視デバイスおよびユーザに直接音声もしくはオーディオビデオ通話を行うことができる。
【０１８７】
本技術のスマートパッケージシステム（ＳＰＳ）は、パッケージ出荷、物流および予測分析のために分散型プラグアンドプレイ（ＰｎＰ）ハードウェアおよびソフトウェアモデルを導入することができ、ここで、ローカルおよびリモートのハードウェアおよびソフトウェアを使用して、ローカルトポロジとネットワーキングされたトポロジの両方において機能能力が実行される。本技術のＳＰＳ、ＳＰＳクラウドプラットフォーム、ならびにすべてのＳＰＳ対応および／またはネットワーキングデバイス（ＳＰＳデバイス）の一実施形態内のソフトウェアは、本明細書では「モジュール」と称される、順次自律型コードに分割される。各モジュールは、他のＳＰＳモジュールのハードウェアおよびソフトウェアと通信するように構成されてもよい。単一のＳＰＳデバイスのためのモジュールのセットは集合的に、本明細書ではデバイスモジュールスタック（ＤＭＳ）と称される。ＳＰＳデバイスのグループがネットワーキングされ、ＳＰＳデバイスグループとして共同すると、それらは、ネットワーキングされたＳＰＳデバイスの各々によって反映されるデバイスグループモジュールスタック（ＧＭＳ）を形成する。１つ以上の許可されたユーザ、ユーザグループおよび／またはマネージドネットワークによって設定されたセキュリティ設定に応じて、ＤＭＳ内の各モジュール、およびＧＭＳ内の各ＤＭＳは、１つ以上の許可されたユーザ、ＳＰＳデバイス、グループ、ネットワークおよび／またはクラウドプラットフォームマネージャ、ならびにあるいはスマートパッケージシステム（ＳＰＳ）の許可された出荷、配送、または他の会社、組織、政府機関またはグループユーザの許可された代表者によってオンまたはオフにされ、接続解除または動的に再構成され得る。
【０１８８】
新しいモジュールは、埋め込まれたファームウェアおよび／またはソフトウェアとしてデバイスモジュールスタック（ＤＭＳ）に差し込まれてもよく、ＵＳＢおよび／または他のバス、ポートもしくは他のワイヤードネットワーク接続を介して接続されてもよく、あるいは１つ以上のワイヤレスネットワークを介して、ＳＰＳデバイスおよびデバイスモジュールスタック（ＤＭＳ）とワイヤレスにペアリングもしくはネットワーキングされてもよい。同様に、デバイスモジュールスタックは、配線されるかまたはワイヤレスにネットワーキングされ、デバイスグループモジュールスタック（ＧＭＳ）に差し込まれ、追加され、配線されるか、またはワイヤレスにネットワーキングされ、クラウドモジュールスタック（ＣＭＳ）に差し込まれ、追加され、および／あるいはクラウドモジュールスタック（ＣＭＳ）に差し込まれ、追加され、すべての許可されたＳＰＳデバイスとネットワーキングされ得る。各モジュールによって収集および管理されるすべてのデータは、すべてのモジュールおよび他のモジュールと調整されたデータと共に独立したチャネルとして動作することができ、他のモジュールデータとグループ化され、単一のワイヤードもしくはワイヤレスネットワークを介して集合的に送出されるか、または複数の利用可能なネットワーク上で一意のデータチャネルを介して独立してブロードキャストされるかのいずれかであり得る。このモデルを使用して、セルラ専用ＳＰＳデバイスは、ＳＰＳデバイスグループ内の１つ以上のセルラおよびＷｉＦｉ対応ＳＰＳデバイスとメッシュネットワーキングしてＳＰＳデバイスグループモジュールスタック（ＧＭＳ）を生成することによって、ならびに／またはＳＰＳクラウドプラットフォームを介して接続される２つ以上のデバイスによってＷｉＦｉ専用ＳＰＳデバイスと通信することができ、ここで、１つのデバイスは、オンボードセルラまたは他のワイヤードもしくはワイヤレスワイドエリアネットワークを介してＳＰＳクラウドプラットフォームと直接接続し得、あるいはワイヤードもしくはワイヤレスルータ、ホットスポットまたは他のネットワーキングハブとのネットワーキング、およびインターネットへのアップリンク、ならびに次いで、ＳＰＳデバイスクラウドプラットフォームおよびユニバーサルクラウドモジュールスタック（ＣＭＳ）を介してリモートでＳＰＳデバイスグループモジュールスタック（ＧＭＳ）を生成し、これが次いで、ＳＰＳクラウドプラットフォームおよびクラウドモジュールスタック（ＣＭＳ）と接続された各ＳＰＳデバイス上でローカルに更新されることによって、ＳＰＳクラウドプラットフォームと接続し得る。
【０１８９】
ＳＰＳデバイスまたはデバイスグループは、ＳＰＳクラウドプラットフォームおよびクラウドモジュールスタック（ＣＭＳ）とは独立して動作するために、１つ以上の許可されたユーザ（複数可）、ユーザグループ（複数可）、またはネットワークマネージャ（複数可）によって割り当てられ得る。１つ以上のＳＰＳデバイスモジュールは、プライベートＳＰＳデバイススタック（ＰＤＭＳ）上でローカルでデータを管理および記憶すること、ならびに／またはプライベートＳＰＳデバイスグループ内の１つ以上の他の許可されたＳＰＳデバイスと共にプライベートデバイスグループモジュールスタック（ＰＧＭＳ）を生成することのみを許可され得る。ＳＰＳデバイスまたはデバイスグループはまた、他のモジュールデータをプライベートに暗号化してローカルに記憶しながら、何らかのモジュールデータをＳＰＳクラウドプラットフォームおよびクラウドモジュールスタックと共有するように割り当てられ得る。ＳＰＳデバイスはまた、１つ以上のワイヤードまたはワイヤレスネットワークを介して、プライベートモジュールデータを１つ以上の許可されたＳＰＳデバイスおよびユーザに直接ネットワーキングおよびストリーミングしてもよい。
【０１９０】
ＳＰＳモジュールは、同様のタスクを実行しおよび／または同様の種類のデータを収集する１つ以上のセンサならびに／あるいはハードウェアおよび／またはソフトウェア構成要素に割り当てられてもよく、例えば、すべての温度および湿度センサのハードウェアおよびソフトウェアはあるモジュールに割り当てられてもよく、加速度計およびジャイロスコープなどのすべての方向動作、配向および加速度センサのハードウェアおよびソフトウェアは別のモジュールに割り当てられてもよい。モジュールは、位置およびポジション、ネットワーキングおよび通信、電力管理およびストレージ、データ管理およびストレージ、データ処理および分析、動作および制御、ならびに動作、配向および加速度、高度および圧力、温度および湿度、バイオメトリクス、照明、光学および撮像などのセンサモジュールを含み得るが、これらに限定されない。新しいハードウェアおよびソフトウェアモジュールが、開発され、許可され、スマートパッケージシステム（ＳＰＳ）に差し込まれ得る。各モジュールによって収集されたすべてのデータには、モジュールが中に埋め込まれ、取り付けられ、またはネットワーキングされ、ＳＰＳデバイスモジュールスタック（ＤＭＳ）に差し込まれるＳＰＳデバイスのＳＰＳデバイスＭＡＣアドレスＩＤコードに加えてモジュール識別コードが与えられ、モジュールに割り当てられた各センサには、トランスデューサ電子データシート（ＴＥＤＳ）に相関するＩＤコードが与えられ、ＴＥＤＳにより、各センサの仕様および精度、ならびに各センサによって収集されたデータは、処理され、分析され、単一のデバイスモジュール（モジュール）、デバイスモジュールスタック（ＤＭＳ）、デバイスグループモジュールスタック（ＧＭＳ）および／またはクラウドモジュールスタック（ＣＭＳ）内の他の同一の、同様のおよび／または関係するセンサと比較できるようになる。
【０１９１】
３．１スケジュールされたデータネットワーキング
ワイドエリアネットワーキング能力を有する１つ以上のバッテリ駆動パッケージハブデバイスがインターネットへの唯一の利用可能なアップリンクである場合、パッケージハブデバイスは、電力を節約するために、割り当てられたパッケージおよび／または周囲のネットワーキングパッケージノードおよび／またはＳＰＳデバイスグループ内の他のＳＰＳもしくは非ＳＰＳ対応デバイスからのデータのみを受信および記憶し、スケジュールされた間隔のみでワイドエリアネットワークを介してワイヤレスにデータをアップロードすることを選択し得る。パッケージハブの残りのオンボードメモリおよびデータストレージ能力が限られている場合、それは、スケジュールされた間隔で周囲のネットワーキングされたデバイスからデータを受信し、ローカルエリアネットワーク（ＬＡＮ）を介して別のパッケージハブまたは通信ハブに直接ワイヤレスにデータを転送して、ストレージおよびスケジュールされたアップロード、ならびに／あるいはインターネットおよび／またはＳＰＳクラウドプラットフォームへの直接アップリンクを行うことを選択し得る。
【０１９２】
データネットワーキングは、事前に設定されたもしくは事前にプログラムされた時間間隔に基づいてスケジュールされてもよく、利用可能な電力およびネットワークに基づいて動的にスケジュールされてもよく、またはリアルタイムのコンテキスト変数に基づいてスケジュールされてもよく、例えば、飛行機および／またはＳＰＳデバイスの位置からのネットワーキングされたデータ、ならびにＧＰＳ、動作および高度などのセンサデータに基づいて、ＳＰＳデバイスが飛行機上にありフライト中であることを認識したとき、ＳＰＳデバイスは、電力を節約するために、より長い時間増分でピアツーピアデータネットワーキングおよびインターネットへのアップロードをスケジュールしてもよい。
【０１９３】
３．２出荷および物流
現代の出荷および物流システムは、将来の結果の可能性を識別および定量化するために、予測分析、データおよび統計アルゴリズムの使用、ならびに機械学習技術に大きく依存している。既存の出荷および物流システムは、過去のイベントからのデータを収集および分析してパターンを識別し、どのプロセスが最も効果的な結果につながったかを計算するための予測分析をしばしば組み込んでおり、例えば、交通パターンを研究して、どんな時間にどの道路が最も混雑しているか、および最も多くの事故が発生する位置を識別して、各主要都市および近隣にとって最も効率的な配送経路と、オフィスビルと住宅にパッケージを配送するのにかかる平均時間量とを計算して、各パッケージについて最も可能性の高い配送時間を予測する。パッケージ出荷および物流プラットフォームにおける既存の予測分析の問題は、それらがリアルタイムソリューションよりも予測性が高いことである。それらは、出荷会社の配送トラックおよび車両フリートからのリアルタイムのＧＰＳ追跡データを組み込み得るが、多くは個々のパッケージからのリアルタイムセンサデータを含まず、また、パッケージおよびパッケージの内容物が損傷、紛失または盗難されるのを防ぐためのリアルタイムのアクション、タスク、トランザクション、および他のファームウェア、ソフトウェアおよびマニュアルプログラムおよびアプリケーション、ならびにリアルタイムにパッケージ管理、取り扱い、出荷および配送プロセスを改善する他の方法を組み込むことはできない。
【０１９４】
すべてのネットワーキングされたパッケージ、パッケージング材料、パッケージおよびパッケージ内容物の追跡および監視デバイス、ならびに他のネットワーキングされたコンピューティングデバイス、人々、ペットおよび家畜、食品および腐敗しやすい物、製品、車両および他の物体、有機体、材料およびシステムから受信されるリアルタイムセンサデータを含むように予測分析を拡張することに加えて、本技術ＳＰＳは、リアルタイムセンサデータに対する動的応答システムを導入する。ＳＰＳ動的応答システム（ＤＲＳ）は、プラグアンドプレイ（ＰｎＰ）ソフトウェアアプリケーションモデルを導入し、このモデルでは、ネットワーキングされたハードウェアおよびソフトウェアアプリケーションが開発され、ＳＰＳクラウドプラットフォームおよびＳＰＳクラウドモジュールスタック（ＣＭＳ）に差し込まれ、個々のデバイスモジュール、デバイスモジュールスタック（ＤＭＳ）、デバイスグループモジュールスタック（ＧＭＳ）、指定された製品ライン、ネットワークおよび／もしくは他のデバイスグループにわたる割り当てられたモジュール（複数可）、またはすべてのネットワーキングされたＳＰＳデバイスおよびデバイスグループにわたる割り当てられたモジュール（複数可）、またはすべてのＳＰＳモジュール、デバイス、デバイスグループおよびクラウドプラットフォームにわたる完全なＳＰＳクラウドモジュールスタック（ＣＭＳ）に割り当てられてもよい。
【０１９５】
すべてのネットワーキングされたデバイスにわたって単一のモジュールに差し込まれるＤＲＳファームウェアおよびソフトウェアアプリケーションの一例は、温度および湿度アラートシステムである。１つ以上のネットワーキングされたＳＰＳデバイスが、１つ以上のＳＰＳデバイスの温度および湿度モジュール、デバイスモジュールスタック（ＤＭＳ）またはデバイスグループモジュールスタック（ＧＭＳ）に差し込まれた１つ以上の埋め込まれた、取り付けられたまたはネットワーキングされた温度および湿度センサから、温度および／または湿度の急激な上昇または低下を監視する場合、１つ以上の独立したもしくはネットワーキングされたＳＰＳデバイス、デバイスグループ上でローカルに、またはＳＰＳクラウドプラットフォーム上でグローバルに実行されるＤＲＳ温度および湿度アラートシステムアプリケーションは、定義されたエリア内のすべてのネットワーキングされたＳＰＳデバイスの位置およびポジショニングモジュールから受信されるＧＰＳおよび／または他のリアルタイムの位置およびリレーショナルポジショニングデータを使用して温度および／または湿度の大幅な変化を初期に報告したＳＰＳデバイス（複数可）の周囲の指定された距離および／または地理的エリア内のすべてのネットワーキングされたＳＰＳデバイスから受信されるリアルタイムの温度および湿度センサ測定値を識別および計算するようにプログラムされ得る。次いで、温度および湿度ＤＳＲアプリケーションは、１つ以上の自動化されたまたはユーザ許可されたタスクを自動的に実行して、リアルタイムで、スケジュールされた間隔で、またはモジュールセンサデータと連携して温度および湿度イベントに応答してもよく、例えば、ＳＰＳ対応のネットワーキングされた移送車両または保管施設の温度制御システムとネットワーキングして、割り当てられたコンテナ、コンパートメント、キャビン、車両、施設または他の指定されたエリア内のすべてのネットワーキングされたＳＰＳパッケージ、パッケージングシステムおよびパッケージ内容物のために、指定されたまたは動的に最適化された温度を改変および／または維持する。
【０１９６】
他のＤＳＲアプリケーションは、位置およびポジション、動作、配向、衝撃、パッケージ改ざん、高度および圧力、温度および湿度、または他のセンサモジュールなどの１つ以上のセンサモジュール、ならびに関係するＤＳＲアプリケーションおよび応答システムによって作動される１つ以上の動作、ネットワーキングおよび制御モジュールを利用して、単一のＳＰＳデバイス、ＳＰＳデバイスグループおよび／またはＳＰＳクラウドプラットフォームからのリアルタイムのオーディオビデオキャプチャおよびストリーミングなどの複数のモジュールを組み込み得る。
【０１９７】
リアルタイムで収集、処理、および分析されたデータに基づいて、温度および湿度アラートシステム、動作、配向および加速度アラートシステム、高度および圧力アラートシステム、衝撃および改ざんアラートシステム、オーディオビデオネットワーキング、通信、検証およびアラートシステム、バイオメトリクス監視およびアラートシステム、ならびに他のＰｎＰファームウェアおよびソフトウェアアプリケーションは、自動的にまたはユーザ認証と共に取られ得る１つ以上の事前にプログラムされたプロセス、タスク、および／またはアクションを作動させて、状況をさらに識別、解決、または改善し、ならびに／あるいは監視されるイベント、パッケージ、パッケージ内容物、デバイス、デバイスグループ、車両、ネットワーク、プラットフォーム、または他のシステムステータスの１つ以上の許可されたユーザおよびシステムにアラートし得る。
【０１９８】
非常に近接しているネットワーキングされたデバイスの単一のＳＰＳデバイスまたはＳＰＳデバイスグループが、１つ以上の割り当てられたパッケージの内側と外側の両方を測定する２つ以上の温度および湿度センサを有し、パッケージおよびパッケージの内容物のうちの１つの内側を監視する温度および湿度センサが、パッケージおよび／または周囲のパッケージの外側を監視する埋め込まれた、取り付けられたまたはネットワーキングされた温度および湿度センサよりもはるかに高い温度を記録した場合、温度および湿度アプリケーションは、差出および受取当事者、パッケージを移送および／または配送している出荷会社および／または運転手もしくは宅配業者などの１人以上のユーザに自動的に連絡することを許可され得る。識別されるパッケージおよび／または周囲のパッケージのデバイスモジュールスタック（ＤＭＳ）またはデバイスグループモジュールスタック（ＧＭＳ）はまた、火災、煙、化学物質、バイオハザード、放射および／または他の緊急センサ、監視システム、ならびにより高い応答設定を有する対応するモジュールを含み得る。より高い優先度設定を有するセンサモジュールが、監視されるパッケージ、パッケージ内容物、あるいは周囲のパッケージおよび／または環境レベルの急激な変化に対してもアラートされる場合、このモジュール、ならびにより高い優先度のモジュールに割り当てられた対応するＤＳＲアプリケーションおよび応答システムは、温度および湿度センサモジュール、ならびに対応する温度および湿度ＤＳＲアプリケーションおよび応答システムのタスクおよびプロトコルよりも優先され得る。
【０１９９】
ＤＳＲアプリケーションおよび応答タスクおよびアクションの一例は、限定はしないが、車両または保管施設の加熱および冷却システムと直接ネットワーキングして、車両もしくは施設、または車両もしくは施設の割り当てられたセクション内に含まれおよびまたは保管されるすべてのネットワーキングされたパッケージにとって最適なキャビンまたは施設温度を管理、設定および維持することを含み得るか、あるいはＳＰＳデバイスモジュールスタック（ＤＭＳ）、デバイスグループモジュールスタックおよび／またはＳＰＳクラウドモジュールスタックに差し込まれたアラーム、キャビン加圧、化学物質耐性、スプリンクラーシステムまたは他の防火システムなどの防火システムを作動させることを含み得る。事前にプログラムされた、またはリアルタイムのタスクおよびアクションのいくつかのＤＳＲアプリケーションは、１つ以上のユーザ認証を必要とする場合があり、あるいは優先度のレベルに応じて、ＳＰＳデバイス、ＳＰＳデバイスグループおよび／またはＳＰＳクラウドプラットフォームによって自動的に実行され得る。異なる優先度レベルおよび認証が、個々のモジュール、モジュールスタック、ユーザ、ならびに他のＳＰＳデバイス、デバイスグループおよびクラウドプラットフォームシステム、プロセスアプリケーション、イベント、タスクおよび操作に割り当てられ得る。
【０２００】
３．３経路指定および再経路指定
パッケージが差出当事者によって指定された住所の受取当事者に送られ、受取当事者が異なる位置にいるために住所が間違っているかまたは変更されている場合、経路の途中でパッケージを再経路指定するためのオプションは現在限られている。これは、誤配置されたパッケージ、間違った住所に配送されたパッケージ、またはパッケージが経路の途中にある間に差出もしくは受取当事者が配送をキャンセルしたパッケージをも含み、パッケージは単に、最初に指定された住所の差出人に返送されるか、または受領のために差出当事者の住所に最も近い出荷センターに返送される。これまでに、パッケージがそれ自体を経路指定および再経路指定し、更新された出荷および配送情報を用いて出荷会社、人員および／または宅配業者を自動的に更新およびリダイレクトし、更新された出荷経路、スケジュールされた配送時間、住所、位置およびコストを自動的に計算し、必要な場合、リアルタイムでまたは配送時に差出および／または受取当事者に請求することを可能にすることによって、出荷および／または配送プロセス中に出荷および配送会社ならびに宅配業者がパッケージを自動的にリダイレクトおよび再経路指定することを可能にする適切なプロセス、システム、ファームウェアおよびソフトウェアアプリケーションは限られている。
【０２０１】
本技術ＳＰＳは、パッケージが、ＳＰＳパッケージ、ならびに／あるいは埋め込まれた、取り付けられた、またはネットワーキングされたＳＰＳパッケージングデバイス、材料または他のＳＰＳパッケージコンピューティングおよび／またはネットワーキングシステム（ＳＰＳデバイス）上で各パッケージの出荷、経路指定および配送情報をリアルタイムで自動的に更新し、ＳＰＳクラウドプラットフォーム上で更新され、配送車両にネットワーキングされ、更新されたパッケージ出荷および配送情報と共にリアルタイムで配送人員および宅配業者（複数可）にアラートすることを可能にする。
【０２０２】
４．ネットワーク
本技術は、リアクティブおよびプロアクティブ（ハイブリッド）経路指定、階層経路指定、時間順序経路指定アルゴリズム（ＴＯＲＡ）、地理的経路指定（ジオキャスティング）、パワー認識およびマルチキャスト経路指定、動的ソース経路指定（ＤＳＲ）ならびに同時マルチパス経路指定（ＣＭＲ）など、モバイルアドホックおよびメッシュネットワーク（ＭＡＮＥＴ）のための複数の経路指定プロトコルおよびネットワークトポロジの方法および能力を、１つの動的でスケーラブルなプラットフォームおよびピアツーピアデバイスネットワークへと組み合わせ得る。標準的な低電力ネットワーク、Ｂｌｕｅｔｏｏｔｈ（登録商標）などのパーソナルエリアネットワーク、およびＷｉＦｉ  Ｐ２Ｐなどのピアツーピアネットワークは、すべての本技術デバイスにわたって使用できる。新しいワイヤードおよびワイヤレスネットワークならびに通信プロトコルが導入されたとき、それらはまた、すべてのＳＰＳデバイスおよびシステムにわたって採用され得る。ワイドエリアネットワークは、単一のデバイスまたは製品ライン全体のワイヤレスネットワーキング能力、要件および／またはアプリケーションに基づいて個々のデバイスに割り当てられてもよく、あるいは価格、ネットワーク帯域幅、利用可能性、スケーラビリティおよび他の変数に基づいて１つ以上の選択されたワイヤレスキャリアに基づいて割り当てられてもよい。
【０２０３】
４．１データチャネリングおよびネットワーク選択
ＳＰＳデバイスハブまたはデバイスグループは、ネットワーク利用可能性、帯域幅および信号強度、利用可能な電力および電力使用スケジュール、利用可能なメモリおよびＲＡＭ、ネットワーキングされたデバイスの数、データの種類およびサイズ、データ優先度、機能およびアプリケーション、ならびに他の変数に基づいて、１つ以上のワイヤードまたはワイヤレスネットワークを介してデータを送信、受信、ストリーミング、通信、転送、共有および／またはアップロードするための最適なネットワークおよび／または通信方法を選択し得る。例えば、オンボードビデオカメラを有するＳＰＳデバイスが、ドロップまたは開封されたパッケージに割り当てられ、オーディオビデオキャプチャを必要とするアラートイベント、ならびに１つ以上の事前に割り当てられたデバイスおよびユーザとの直接ワイヤレスビデオ通話、あるいは１人以上の許可されたユーザによるリアルタイム閲覧のためのインターネットまたは他のクラウドプラットフォームへのライブビデオストリーミングのいずれかが引き起こされた場合、ＳＰＳデバイスまたはデバイスグループは、車両ホットスポットおよびインターネットへの常時オンのアップリンクなどの通信ハブが利用可能であり、より低い電力および処理を必要とするＳＰＳデバイスまたはデバイスグループとネットワーキングされるため、ＬＡＮを介してオーディオビデオフィードをストリーミングすることを選択し得る。ＳＰＳデバイスが外部通信ハブと接続されていない場合、デバイスは、直接セルラ通話よりも低い電力および処理を必要とするそれ自体のセルラＷＡＮアップリンクを介して、オーディオビデオデータをインターネットまたは他のクラウドプラットフォームにストリーミングすることを選択し得る。割り当てられたインターネットハブが利用可能でない場合、ＳＰＳデバイスは、１つ以上の許可された電話およびユーザに直接セルラ音声またはビデオ通話を行い得る。
【０２０４】
複数のネットワークが利用可能である場合、および／または１つ以上のネットワーキングされたデバイスから複数のデータストリームが受信される場合、ＳＰＳデバイスハブは、データタイプに基づいて１つ以上のネットワークを介して異なるデータストリームをチャネリングするように選択してもよく、例えば、ＳＰＳデバイスハブが、基本的なパッケージ識別、ならびに位置、時間および日付、温度、湿度、高度、および英数字コードとしてストリーミングされ得る他のデータなどの低帯域幅センサデータを受信している場合、ＳＰＳデバイスは、すべてのネットワーキングされたデバイスから受信され、かつ低電力ネットワークまたはＬＡＮを介してストリーミングされるすべての低帯域幅データをグループ化してもよい。ネットワーキングされたパッケージのうちの１つからのアラートが、より高い優先度を割り当てられているか、あるいはオーディオビデオストリーミングおよび／または音声およびビデオ通信などのより高い帯域幅ネットワークを必要とする場合、それは、ワイドエリアネットワークを介してチャネリングおよびストリーミングされ得る。
【０２０５】
５．ユーザ
許可されたスマートパッケージシステム（ＳＰＳ）の差出人、受取人、宅配業者、および他の許可されたユーザ、ユーザグループ、デバイス、デバイスグループ、ネットワークおよび／またはクラウドプラットフォームマネージャ、ならびに／あるいは出荷、配送または他の会社、組織または政府機関の許可された代表者は、ＳＰＳデバイス、デバイスグループ、ネットワークおよび／またはクラウドプラットフォームならびに関係モジュール、デバイスモジュールスタック（ＤＭＳ）、デバイスグループモジュールスタック（ＧＭＳ）およびクラウドモジュールスタック（ＣＭＳ）の様々なレベルのプログラミング、機能性、カスタマイズ、改変およびシステム制御を行い、ＳＰＳ動的応答システムの利用可能なハードウェアおよびソフトウェアアプリケーションに対するそれらのプリファレンス、ならびにシステム制御、電力およびデータ管理、デバイスおよびセンサの監視、分析、アラートおよび応答、アクセスおよびセキュリティ、チャネリング、ネットワーキング、通信、支払いおよびトランザクション、ならびに他のプロセス、タスク、プログラム、アプリケーション、製品、人々、デバイス、車両、ネットワーク、システムおよびサービスに対するプリファレンスを選択することができる。
【０２０６】
６．セキュリティ
本技術ＳＰＳは、すべてのアラート、トランザクションおよび通信を記録するオープン流通レッジャーに記録されたすべてのトランザクションと共にカスタムブロックチェーンシステムおよびネットワークとして動作し得、すべてのＳＰＳデバイスによって個別に、すべてのＳＰＳデバイスグループによって集合的に、かつＳＰＳクラウドプラットフォーム上でグローバルに検証される。
【０２０７】
５．１データ暗号化およびネットワークセキュリティ
各ＳＰＳデバイスは、グローバルＳＰＳディレクトリ上で共有される公開鍵と、各個々のＳＰＳデバイス、ＳＰＳデバイスグループおよびＳＰＳクラウドプラットフォームによって実行され、各ＳＰＳデバイスレッジャー上にログされ、ＳＰＳデバイスグループレッジャーおよび／またはグローバルＳＰＳクラウドプラットフォームレッジャーによって検証されるすべてのアラート、トランザクションおよび通信を署名、暗号化および復号化するためにＳＰＳデバイス上に記憶される秘密鍵とを含む各鍵と共に、１つ以上のランダム鍵暗号化コードを割り当てられ得る。ＳＰＳデバイスグループレッジャーは、２つ以上のネットワーキングされたＳＰＳデバイスによって生成され、ＳＰＳデバイスグループ内のすべてのネットワーキングされたＳＰＳデバイス上に記憶される集合的レッジャーであり得る。レコードを署名することに加えて、鍵暗号化を使用して、記憶されネットワーキングされたデータ、ならびにリアルタイムの音声、データおよびオーディオビデオ通信を暗号化することもできる。すべてのレコードは、各ＳＰＳデバイス、ＳＰＳデバイスグループ、および／またはＳＰＳクラウドプラットフォームによってタイムスタンプされ、署名され得る。レコードはまた、１つ以上の追加の識別層のために、位置スタンプされ、および／または他の一意のローカルＳＰＳデバイスセンサデータでスタンプされてもよい。
【０２０８】
５．２ユーザ識別、認証、およびバイオメトリクス
パッケージ配送などの特定のトランザクションは、タッチパッドもしくはタッチスクリーン対応ＳＰＳパッケージハブデバイス、または許可された携帯電話、タブレット、ラップトップ、またはＳＰＳ埋め込みソフトウェアもしくはダウンロード可能なソフトウェアアプリケーションを有する他のネットワーキングされたコンピューティングデバイスなどのユーザのネットワーキングされたＳＰＳデバイスにパスコードを入力することによって取得され得る、宅配業者および受取人識別などの追加の検証層を必要とし得る。トランザクションは、１つ以上のユーザ検証方法を必要とする場合があり、他の検証方法は、指紋、音声、眼および顔認識などの生体識別を含むが、これらに限定されない。トランザクションはまた、２つ以上のＳＰＳ対応デバイスと、パッケージの差出および受取当事者の２人以上の許可されたメンバーとの間のビデオ通話の形態のリアルタイムビデオ検証を必要とし得る。差出および／または受取当事者が会社であるシナリオでは、差出および／または受取当事者の代表者は、ユーザパスコードおよび／または生体識別の形態のユーザ検証に加えて、事前に割り当てられた会社および／または従業員識別コードを入力する必要がある場合がある。
【０２０９】
許可されたユーザ、ユーザグループ、マネージャ、または許可された代表者は、個々のＳＰＳデバイス、デバイスグループ、ネットワークおよび／またはＳＰＳクラウドプラットフォーム、ならびに関係モジュール、モジュールスタック、およびＳＰＳファームウェアおよびソフトウェアアプリケーションに対する様々なレベルの許可および制御を割り当てられ得る。宅配業者および出荷人員などの特定の許可されたユーザまたはユーザグループは、彼らの割り当てられたタスクおよび責任に基づいて、ＳＰＳデバイス、デバイスグループ、ネットワークおよび／またはクラウドプラットフォームモジュール、モジュールスタック、ハードウェアおよびソフトウェアシステムおよびアプリケーションの異なるレベルのアクセスおよび制御を割り当てられ得る。パッケージ差出および／または受取当事者などのユーザはまた、ユーザ識別およびリアルタイムビデオ検証などの事前に割り当てられたタスクおよびトランザクションを実行する必要がある場合があり、ならびに／または彼らの要求されたサービス、タスクおよびトランザクション、および他の変数に基づいて、異なるレベルのセキュリティアクセスおよび制御を許可され割り当てられ得る。
【０２１０】
ユーザ認証は、ユーザタイプ、デバイスの数、デバイスグループ、ネットワークおよびまたはプラットフォームの責任、会社の許可レベル、管理レベルおよびセキュリティレベルに基づいて、ならびに／あるいはＳＰＳデバイス、デバイスグループ、ネットワークおよび／またはＳＰＳクラウドプラットフォームモジュール、モジュールスタック、アプリケーション、トランザクションおよび／または他のハードウェアおよびソフトウェアプログラム、タスク、アラート、制御およびシステムセキュリティプロトコルに基づいて割り当てられ得る。１つ以上のデバイス、モジュール、プラットフォーム、ネットワーク、アプリケーション、ならびにシステム設定および制御へのいくつかの変更は、２つ以上のユーザ許可、識別および／または検証方法を必要とする場合があり、ならびに／あるいは２つ以上の許可ユーザ、ユーザグループ、マネージャ、および／または代理人が許可および処理することを要求する場合がある。
【０２１１】
図のフローチャートおよび／またはブロック図は、本技術の様々な実施形態によるシステム、方法およびコンピュータプログラム製品の可能な実装のアーキテクチャ、機能、および動作を示す。この点において、フローチャートまたはブロック図内の各ブロックは、指定された論理機能（複数可）を実装するための１つ以上の実行可能命令を含むコードのモジュール、セグメント、または一部分を表し得る。また、いくつかの代替実装形態では、ブロックに記載されている機能は、図に記載されている順序から外れて行われてもよいことに留意されたい。例えば、連続して示される２つのブロックは、実際には、実質的に同時に実行されてもよく、またはブロックは、関与する機能に応じて、時々逆の順序で実行されてもよい。また、ブロック図および／またはフローチャート図の各ブロック、ならびにブロック図および／またはフローチャート図内のブロックの組み合わせは、指定された機能もしくは行為、または専用ハードウェアおよびコンピュータ命令の組み合わせを実行する専用ハードウェアベースのシステムによって実装されるように構成されるかまたは構成可能であることに留意されたい。
【０２１２】
本技術の実施形態を詳細に説明してきたが、それらへの改変および変形が可能であることは明らかなはずであり、これらはすべて、本技術の真の趣旨および範囲内にある。次いで、上記の説明に関して、サイズ、材料、形状、形態、機能、および操作の方法、組み立ておよび使用の相違を含む本技術の部分のための最適な寸法関係は、当業者には容易に明らかで明白であると見なされ、図面に示され本明細書に記載されたものと等価のすべての関係は、本技術によって包含されることを意図されていることを了解されたい。例えば、上述したものの代わりに任意の好適な頑丈な材料を使用することができる。出荷パッケージが説明されているが、本明細書に記載されている本技術は、任意のコンテナ、レセプタクル、ボトル、車両または移送可能な容器での使用にも好適であることを理解されたい。
【０２１３】
したがって、前述は、本技術の原理のみを例示するものと見なされる。さらに、多数の改変および変更が当業者には容易に想到するであろうことから、本技術を図示および説明された厳密な構造および動作に限定することは所望されず、したがって、すべての好適な改変および等価物が、利用され得、これらは、本技術の範囲内である。
【図１Ａ】
2021533052.tif 000003
【図１Ｂ】
2021533052.tif 000004
【図２Ａ】
2021533052.tif 000005
【図２Ｂ】
2021533052.tif 000006
【図３Ａ】
2021533052.tif 000007
【図３Ｂ】
2021533052.tif 000008
【図４Ａ】
2021533052.tif 000009
【図４Ｂ】
2021533052.tif 000010
【図５Ａ】
2021533052.tif 000011
【図５Ｂ】
2021533052.tif 000012
【図５Ｃ】
2021533052.tif 000013
【図６Ａ】
2021533052.tif 000014
【図６Ｂ】
2021533052.tif 000015
【図６Ｃ】
2021533052.tif 000016
【図７Ａ】
2021533052.tif 000017
【図７Ｂ】
2021533052.tif 000018
【図８Ａ】
2021533052.tif 000019
【図８Ｂ】
2021533052.tif 000020
【図９】
2021533052.tif 000021
【図１０】
2021533052.tif 000022
【図１１Ａ】
2021533052.tif 000023
【図１１Ｂ】
2021533052.tif 000024
【図１１Ｃ】
2021533052.tif 000025
【図１１Ｄ】
2021533052.tif 000026
【図１１Ｅ】
2021533052.tif 000027
【図１１Ｆ】
2021533052.tif 000028
【図１２Ａ】
2021533052.tif 000029
【図１２Ｂ】
2021533052.tif 000030
【図１２Ｃ】
2021533052.tif 000031
【図１２Ｄ】
2021533052.tif 000032
【図１３】
2021533052.tif 000033
【図１４】
2021533052.tif 000034
【図１５Ａ】
2021533052.tif 000035
【図１５Ｂ】
2021533052.tif 000036
【図１６Ａ】
2021533052.tif 000037
【図１６Ｂ】
2021533052.tif 000038
【図１７Ａ】
2021533052.tif 000039
【図１７Ｂ】
2021533052.tif 000040
【図１８Ａ】
2021533052.tif 000041
【図１８Ｂ】
2021533052.tif 000042
【図１９Ａ】
2021533052.tif 000043
【図１９Ｂ】
2021533052.tif 000044
【図２０Ａ】
2021533052.tif 000045
【図２０Ｂ】
2021533052.tif 000046
【図２１】
2021533052.tif 000047
【図２２Ａ】
2021533052.tif 000048
【図２２Ｂ】
2021533052.tif 000049
【図２３Ａ】
2021533052.tif 000050
【図２３Ｂ】
2021533052.tif 000051
【図２４】
2021533052.tif 000052
【図２５Ａ】
2021533052.tif 000053
【図２５Ｂ】
2021533052.tif 000054
【図２６Ａ】
2021533052.tif 000055
【図２６Ｂ】
2021533052.tif 000056
【図２７Ａ】
2021533052.tif 000057
【図２７Ｂ】
2021533052.tif 000058
【図２８Ａ】
2021533052.tif 000059
【図２８Ｂ】
2021533052.tif 000060
【国際調査報告】
2021533052.tif 000061
2021533052.tif 000062